(57)【要約】      （修正有）【課題】焦点調節および光学的画像安定化機能を有するマルチ開口撮像装置の小型化、高画質化を図る。【解決手段】マルチ開口撮像装置１０は、光チャネル１６ａ、１６ｂの光路を形成する単一ラインアレイ１４と、光チャネル１６ａ、１６ｂの光路を偏向させるビーム偏向手段１８と、イメージセンサ１２と単一ラインアレイ１４とビーム偏向手段１８との間の相対的な動きを発生させるためのアクチュエータ手段とを含む。アクチュエータ手段は、直方体の形状の側面に及ぶ２つの平面の間に少なくとも部分的に配置されるように配置され、直方体の形状の側面は、単一ラインアレイ１４のライン伸長方向と、イメージセンサ１２およびビーム偏向手段１８間の光チャネル１６ａ、１６ｂの光路の一部と、共に、互いに平行に配向されている。直方体の形状の体積は最小であり、依然として、イメージセンサ１２、単一ラインアレイ１４およびビーム偏向手段１８を含む。【選択図】図１
2020129112.tif 000002
【特許請求の範囲】
【請求項１】
マルチ開口撮像装置（１０；４０；１４０；１５０；１６０；１７０；１８０；２００；２２０；２５０）であって、
前記マルチ開口撮像装置は、
イメージセンサ（１２）、
並置された光チャネル（１６ａ〜１６ｂ）の単一ラインアレイ（１４）であって、前記各光チャネル（１６ａ〜１６ｂ）は、前記イメージセンサ（１２）のイメージセンサ領域（１３ａ〜１３ｄ）に対象領域（２６０）の部分領域（１０６ａ〜１０６ｄ）を投影するための光学系（１７ａ〜１７ｄ）を含む並置された光チャネル（１６ａ〜１６ｂ）の単一ラインアレイ（１４）、
前記光チャネル（１６ａ〜１６ｂ）の光路（２２ａ〜２２ｄ）を偏向させるビーム偏向手段（１８）、および
前記イメージセンサ（１２）と前記単一ラインアレイ（１４）と前記ビーム偏向手段（１８）との間の相対的な動きを発生させるためのアクチュエータ手段（２８）を含み、
前記アクチュエータ手段（２８）は、直方体（３４）の側面に及ぶ２つの平面（２６ａ，２６ｂ）の間に少なくとも部分的に配置されるように配置され、前記直方体（３４）の側面は、互いに平行であると共に、前記単一ラインアレイ（１４）のライン伸長方向（２４）と、前記イメージセンサ（１２）および前記ビーム偏向手段（１８）間の前記光チャネル（１６ａ〜１６ｂ）の光路（２２ａ〜２２ｄ）の一部と平行に向けられ、その直方体の体積は最小であり、依然として、前記イメージセンサ（１２）、前記単一ラインアレイ（１４）および前記ビーム偏向手段（１８）を含む、マルチ開口撮像装置。
【請求項２】
前記相対的な動きを発生させるための前記アクチュエータ手段（２８）は、前記イメージセンサ（１２）の、前記単一アレイ（１４）の外方を向く側に配置されるか、または、前記直方体（３４）に対して横方向にオフセットした前記ライン伸長方向（２４）に平行な方向に沿って配置されている、請求項１に記載のマルチ開口撮像装置。
【請求項３】
前記アクチュエータ手段（２８）は、前記ライン伸長方向（２４）に垂直な厚さ方向（３６）に沿って、前記２つの平面（２６ａ，２６ｂ）の間の領域（４４）から前記厚さ方向（３６）に沿って、前記アクチュエータ手段（２８）の広がりの最大５０％、前記２つの平面（２６ａ，２６ｂ）の第１または第２の平面（２６ａ，２６ｂ）を超えて突出している、請求項２に記載のマルチ開口撮像装置。
【請求項４】
前記ビーム偏向手段（１８）は、少なくとも第１（９２ａ）および第２の視線方向（９２ｂ）で前記光チャネル（１６ａ〜１６ｂ）の前記光路を偏向させるように構成され、前記アクチュエータ手段（２８）は、少なくとも1つのアクチュエータ（５６；５６´ａ〜５６´ｂ；５７ａ〜５７ｂ；６６ａ〜６６ｆ；７２ａ〜７２ｂ；７４ａ〜７４ｂ；１０２）を含み、前記少なくとも1つのアクチュエータ（５６；５６´ａ〜５６´ｂ；５７ａ〜５７ｂ；６６ａ〜６６ｆ；７２ａ〜７２ｂ；７４ａ〜７４ｂ；１０２）は、前記第１（９２ａ）または第２の視線方向（９２ｂ）に対して垂直に配置されたビーム偏向手段（１８）の平面（９９）に配置される、請求項１〜請求項３のいずれか１項に記載のマルチ開口撮像装置。
【請求項５】
前記相対的な動きは、
前記単一ラインアレイ（１４）および前記ビーム偏向手段（１８）の間の前記光チャネル（１６ａ〜１６ｂ）を通り抜ける光路（２２ａ〜２２ｄ）に平行なビーム方向に沿った、前記イメージセンサ（１２）と前記単一ラインアレイ（１４）との間の距離（４６）の変化、または、
前記ビーム方向に沿った、前記単一ラインアレイ（１４）と前記ビーム偏向手段（１８）との間の距離（４８）の変化を含む、請求項１〜請求項４のいずれか１項に記載のマルチ開口撮像装置。
【請求項６】
前記相対的な動きは、
前記単一ラインアレイ（１４）および前記ビーム偏向手段（１８）の間の前記光チャネル（１６ａ〜１６ｂ）を通り抜ける光路（２２ａ〜２２ｄ）に平行なビーム方向に沿った、前記イメージセンサ（１２）と前記単一ラインアレイ（１４）との間の距離（４６）の、前記ビーム方向に沿った、前記単一ラインアレイ（１４）と前記ビーム偏向手段（１８）との間の距離（４８）を維持することによる、変化を含む、請求項１〜請求項５のいずれか１項に記載のマルチ開口撮像装置。
【請求項７】
前記相対的な動きは、光学的画像安定化のための、前記イメージセンサ（１２）、前記単一ラインアレイ（１４）または前記ビーム偏向手段（１８）の並進運動を含み、前記並進運動は、前記マルチ開口撮像装置によってキャプチャーされた画像の第１の画像軸（６２）または第２の画像軸（５８）に平行に実行する、請求項１〜請求項６のいずれか１項に記載のマルチ開口撮像装置。
【請求項８】
前記相対的な動きは、前記ビーム偏向手段（１８）の、前記単一ラインアレイ（１４）の前記ライン伸長方向に平行な軸の周りでの回転運動（５２）、または、前記ビーム偏向手段（１８）の、前記ライン伸長方向（２４）に平行な軸に沿っての並進運動を含み、前記並進運動は、前記ビーム偏向手段（１８）が並進的に可動である第１の位置（Ｐｏｓ１）と第２の位置（Ｐｏｓ２）との間で実行することができる、請求項１〜請求項７のいずれか１項に記載のマルチ開口撮像装置。
【請求項９】
前記イメージセンサ（１２）または前記ビーム偏向手段（１８）は、前記アクチュエータ手段（２８）の第1のアクチュエータ（５６；５６´ａ〜５６´ｂ；５７ａ〜５７ｂ；６６ａ〜６６ｆ;７２ａ〜７２ｂ;７４ａ〜７４ｂ;１０２）と単一ラインアレイ（１４）との間に配置され、前記第1のアクチュエータ（５６；５６´ａ〜５６´ｂ；５７ａ〜５７ｂ；６６ａ〜６６ｆ;７２ａ〜７２ｂ;７４ａ〜７４ｂ;１０２）は、前記イメージセンサ（１２）と前記単一ラインアレイ（１４）との間の距離（４６）を変化させるように構成されている、請求項１〜請求項８のいずれか１項に記載のマルチ開口撮像装置。
【請求項１０】
前記第1のアクチュエータ（５６；５６´ａ〜５６´ｂ；５７ａ〜５７ｂ；６６ａ〜６６ｆ;７２ａ〜７２ｂ;７４ａ〜７４ｂ;１０２）は、作動中に、前記光チャネル（１６ａ〜１６ｂ）を通り抜ける光路（２２ａ〜２２ｄ）に平行なビーム方向に沿って、前記アクチュエータ（７４ａ〜７４ｂ）の領域（７６）を移動するように構成されている、曲げアクチュエータ（７４ａ〜７４ｂ）である、請求項９に記載のマルチ開口撮像装置。
【請求項１１】
前記アクチュエータ手段（２８）は、曲げアクチュエータ（７４ａ〜７４ｂ）として形成された第２のアクチュエータ（５６；５６´ａ〜５６´ｂ；５７ａ〜５７ｂ；６６ａ〜６６ｆ;７２ａ〜７２ｂ;７４ａ〜７４ｂ;１０２）を含み、
前記第２のアクチュエータは、前記イメージセンサ（１２）と前記単一ラインアレイ（１４）との間の距離（４６）を変化させ、作動中に、前記アクチュエータ（７４ａ〜７４ｂ）の領域を、前記光チャネル（１６ａ〜１６ｂ）を通り抜ける光路（２２ａ〜２２ｄ）に平行なビーム方向に沿って動かせるように構成され、前記第１および第２のアクチュエータは、前記ライン伸長方向（２４）に沿って、前記単一ラインアレイ（１４）の異なる領域に接続される、請求項１０に記載のマルチ開口撮像装置。
【請求項１２】
前記アクチュエータ手段（２８）は、前記イメージセンサ（１２）と前記単一ラインアレイ（１４）との間の距離（４６）を変化させるように構成された第１のボイスコイルモータ（６６ａ〜６６ｆ；７２ａ〜７２ｂ）を含む、請求項１〜請求項１１のいずれか１項に記載のマルチ開口撮像装置。
【請求項１３】
前記アクチュエータ手段（２８）は、前記イメージセンサ（１２）と前記単一ラインアレイ（１４）との間の距離（４６）を変更し、前記単一ラインアレイ（１４）と前記ビーム偏向手段（１８）との間の前記ビーム方向に沿った距離（４８）を維持するように構成される、請求項１２に記載のマルチ開口撮像装置。
【請求項１４】
前記アクチュエータ手段（２８）は、前記単一ラインアレイ（１４）のライン伸長方向（２４）に垂直で、且つ、前記イメージセンサ（１２）に平行な平面（２５）における、前記単一ラインアレイ（１４）に対するイメージセンサ（１２）の相対的位置を変更するように構成された第２のボイスコイルモータ（６６ａ〜６６ｆ；７２ａ〜７２ｂ）を含む、請求項１〜請求項１３のいずれか１項に記載のマルチ開口撮像装置。
【請求項１５】
平らなハウジング（２７２）内に配置され、第１のハウジング方向（ｘ）および第２のハウジング方向（ｚ）に沿った前記ハウジング（２７２）の少なくとも第１の伸長および第２の伸長は、第３のハウジング方向（ｙ）に沿った前記ハウジングの第３の伸長と比較して少なくとも３倍の大きさを有する、請求項１〜請求項１４のいずれか１項に記載のマルチ開口撮像装置。
【請求項１６】
前記アクチュエータ手段（２８）は、前記単一ラインアレイ（１４）のライン伸長方向（２４）に沿って、前記単一ラインアレイ（１４）を動かせるように構成されているアクチュエータ（５６；５６´ａ〜５６´ｂ；５７ａ〜５７ｂ；６６ａ〜６６ｆ;７２ａ〜７２ｂ;７４ａ〜７４ｂ;１０２）を含む、請求項１〜請求項１５のいずれか１項に記載のマルチ開口撮像装置。
【請求項１７】
前記アクチュエータ手段（２８）は、前記単一ラインアレイ（１４）の前記ライン伸長方向（２４）に平行な軸（３２）の周りで前記ビーム偏向手段（１８）の回転運動（５２）をするように、前記ビーム偏向手段（１８）を配置するように構成されているアクチュエータ（５６；５６´ａ〜５６´ｂ；５７ａ〜５７ｂ；６６ａ〜６６ｆ;７２ａ〜７２ｂ;７４ａ〜７４ｂ;１０２）を含む、請求項１〜請求項１６のいずれか１項に記載のマルチ開口撮像装置。
【請求項１８】
請求項１〜請求項１７のいずれか１項に記載の第１のマルチ開口撮像装置（１０；４０；１４０；１５０；１６０；１７０；１８０；２００；２２０；２５０）と、請求項１〜請求項１７のいずれか１項に記載の第２のマルチ開口撮像装置（１０；４０；１４０；１５０；１６０；１７０；１８０；２００；２２０；２５０）とを、備える撮像システム（２７２）であって、
前記撮像システム（２７２）は、少なくとも立体視的に対象領域（２６０）をキャプチャーするように構成されていることを特徴とする、撮像システム。
【請求項１９】
ポータブルシステム、特に移動通信手段である、請求項１８に記載の撮像システム。
【請求項２０】
マルチ開口撮像装置の製造方法であって、
前記マルチ開口撮像装置の製造方法は、
イメージセンサ（１２）を提供するステップと、
それぞれの光チャネルが、対象領域の部分領域を前記イメージセンサのイメージセンサ領域に投影するための光学系を含むように、並置された光学チャネルの単一ラインアレイを配置するステップと、
前記光チャネルの光路を偏向させるビーム偏向手段を配置するステップと、
前記イメージセンサと前記単一ラインアレイと前記ビーム偏向手段との間の相対的な動きを発生させるためのアクチュエータ手段を配置するステップとを含み、
前記アクチュエータ手段は、直方体の側面に及ぶ２つの平面の間に少なくとも部分的に配置されるように配置され、前記直方体の側面は、互いに平行であると共に、前記単一ラインアレイのライン伸長方向と、前記イメージセンサおよび前記ビーム偏向手段間の前記光チャネルの光路の一部と平行に向けられ、そして、その体積は最小であり、また、依然として、前記イメージセンサ、前記単一ラインアレイおよび前記ビーム偏向手段を含む、マルチ開口撮像装置の製造方法。
【発明の詳細な説明】
【技術分野】
【０００１】
本発明は、マルチ開口撮像装置およびその製造方法に関する。さらに、本発明は、撮像装置と、動きを生成するための構成要素の配置およびマルチ開口撮像システムに関する。
【背景技術】
【０００２】
従来のカメラは、全対象領域を撮像する撮像チャネルを有する。カメラは、撮像システムの適応を可能にする適応性のある構成要素を有し、それによって製造公差および動作温度範囲を広げ、またはオートフォーカスおよび光学的画像安定化機能を可能にする。フォーカシングおよび光学的画像安定化機能を実現するための動きを生成するための構成要素は、画像光学経路を遮断することなく、光学軸または対物レンズを方向付けするように配置される。カメラおよび／またはマルチ開口撮像装置は、小型化の必要性を有する。
【０００３】
したがって、高画質を確保しつつ、全視野をキャプチャーするための小型化されたマルチ開口撮像装置を可能とする概念が望まれる。
【発明の概要】
【発明が解決しようとする課題】
【０００４】
このように、本発明の目的は、マルチ開口撮像装置および／または撮像システムの小型化を実現し、高品質の画像を得ることができるマルチ開口撮像装置、その製造方法および撮像システムを提供することである。
【課題を解決するための手段】
【０００５】
この目的は、独立請求項の主題によって解決される。
【０００６】
本発明の核心は、単一ラインアレイとイメージセンサとビーム偏向手段との間の相対的な動きに基づいて、焦点および／または光学的画像安定化が得られ、高画質を可能にするという知見である。直方体の平面内に広がったまたはイメージセンサ、ビーム偏向手段および単一ラインアレイの位置によって規定されたアクチュエータ手段を配置することは、この方向に沿ってアクチュエータ手段が存在しないために、この平面に垂直な方向に沿った設置スペースが少なくて済む。
【０００７】
一実施形態によれば、マルチ開口撮像装置は、イメージセンサと、並置された光チャネルの単一ラインアレイとを含み、各光チャネルは、イメージセンサのイメージセンサ領域上の対象領域の部分領域を投影するための光学系と、光学チャネルの光路を偏向するビーム偏向手段と、イメージセンサ、単一ラインアレイおよびビーム偏向手段間の相対的な動きを発生させるためのアクチュエータ手段とを含む。アクチュエータ手段は、直方体の側面に及ぶ２つの平面の間に少なくとも部分的に配置されるように配置され、直方体の側面は、互いに平行であるとともに、単一ラインアレイのライン伸長方向と、イメージセンサとビーム偏向手段との間の光チャネルの光路の一部に向けられ、その直方体の容積は最小限であり、また、イメージセンサ、単一ラインアレイおよびビーム偏向手段を依然として含む。
【０００８】
さらなる実施形態によれば、撮像システムは、第１のマルチ開口撮像装置および少なくとも第２のマルチ開口撮像装置を含み、少なくとも立体的に対象領域をキャプチャーするように構成される。
【０００９】
さらなる実施形態によれば、マルチ開口撮像装置を製造する方法は、イメージセンサを提供するステップと、それぞれの光チャネルが、イメージセンサのイメージセンサ領域上の対象領域の部分領域を投影するための光学系を含むように、並置された光学チャネルの単一ラインアレイを配置することを含む。この方法は、光チャネルの光路を偏向させるためのビーム偏向手段を配置するステップと、イメージセンサ、単一ラインアレイおよびビーム偏向手段間の相対的な動きを生成するアクチュエータ手段とを配置するステップを含む。アクチュエータ手段は、当該アクチュエータ手段が直方体の側面に及ぶ２つの平面の間に少なくとも部分的に配置されるように配置され、前記直方体の側面は、互いに平行であるだけでなく、単一ラインアレイのライン伸長方向と、イメージセンサおよびビーム偏向手段間の光チャネルの光路の一部とに、向けられ、そして、その直方体の体積は最小であり、また、依然としてイメージセンサ、単一ラインアレイおよびビーム偏向手段を含むものである。
【００１０】
さらに好ましい実施形態は、従属請求項の主題である。
【００１１】
以下、添付図面を参照して、本発明の好適な実施形態について説明する。それらは、以下に示す。
【図面の簡単な説明】
【００１２】
【図１】一実施形態によるマルチ開口撮像装置の概略斜視図である。
【図２】図１のマルチ開口撮像装置の概略側面断面図である。
【図３】図１のマルチ開口撮像装置の概略構成図である。
【図４】一実施形態によるさらなるマルチ開口撮像装置の概略斜視図である。
【図５】一実施形態によるイメージセンサおよび単一ラインアレイの概略上面図であり、単一のアレイは、ボイスコイルモータとして実装された２つのアクチュエータに接続され、前記イメージセンサと前記アレイとの間の距離の変化が、フォーカス機能のために可能にされる。
【図６ａ】実施例による単一ラインアレイまたはビーム偏向手段を動かすための駆動概念の概略上面図である。
【図６ｂ】実施例による単一ラインアレイまたはビーム偏向手段を動かすための駆動概念の概略上面図である。
【図６ｃ】実施例による単一ラインアレイまたはビーム偏向手段を動かすための駆動概念の概略上面図である。
【図６ｄ】実施例による単一ラインアレイまたはビーム偏向手段を動かすための駆動概念の概略上面図である。
【図６ｅ】実施例による単一ラインアレイまたはビーム偏向手段を動かすための駆動概念の概略上面図である。
【図６ｆ】実施例による単一ラインアレイまたはビーム偏向手段を動かすための駆動概念の概略上面図である。
【図６ｇ】実施例による単一ラインアレイまたはビーム偏向手段を動かすための駆動概念の概略上面図である。
【図６ｈ】実施例による単一ラインアレイまたはビーム偏向手段を動かすための駆動概念の概略上面図である。
【図７】イメージセンサ、単一ラインアレイおよびビーム偏向手段の概略平面図であり、図５および図６ａ〜図６ｈのアクチュエータの動作モードが一実施形態に従って組み合わされている。
【図８ａ】イメージセンサと、圧電アクチュエータに基づいて並進方式で移動され、イメージセンサとアレイとの間の距離の変化がフォーカス機能に対して可能にされた単一ラインアレイの概略平面図である。
【図８ｂ】図８ａのイメージセンサおよび単一ラインアレイの概略側面図である。
【図９ａ】一実施形態によるイメージセンサおよび単一ラインアレイの概略上面図であり、図８ａと比較して、単一ラインアレイは２つの圧電アクチュエータに接続され、イメージセンサとアレイとの間の距離の変化がフォーカス機能に対して可能にされる。
【図９ｂ】図９ａのイメージセンサおよび単一ラインアレイの概略側面図である。
【図１０ａ】一実施形態によるイメージセンサおよび単一ラインアレイの概略上面図であり、イメージセンサとアレイとの間の距離の変化が、フォーカス機能のために可能にされる。
【図１０ｂ】図１０ａのイメージセンサおよび単一ラインアレイの概略側面図である。
【図１１ａ】さらなる実施形態によるイメージセンサおよび単一ラインアレイの概略上面図であり、２つの圧電アクチュエータがイメージセンサに接続され、イメージセンサとアレイとの間の距離の変化がフォーカス機能のために可能にされる。
【図１１ｂ】図１１ａのイメージセンサアレイおよび単一ラインアレイの概略側面図である。
【図１２ａ】圧電アクチュエータと単一ラインアレイとの間の柔軟な機械的接続を有する一実施形態によるイメージセンサおよび単一ラインアレイの概略上面図である。
【図１２ｂ】図１２ａと比較することができるイメージセンサと単一ラインアレイの構成を示しており、アクチュエータは機械的偏向手段を介して単一ラインアレイに接続されている。
【図１３ａ】一実施形態によるイメージセンサおよび単一ラインアレイの概略平面図であり、イメージセンサは、ライン伸長方向に沿って単一ラインアレイに対して相対的に動く。
【図１３ｂ】一実施形態によるイメージセンサおよび単一ラインアレイの概略平面図であり、２つのアクチュエータは、単一ラインアレイに対してイメージセンサの移動を可能にする。
【図１４】一実施形態によるさらなるマルチ開口撮像装置の概略上面図である。
【図１５】本発明の一実施形態に係るマルチ開口撮像装置の概略平面図であり、前記ビーム偏向手段は平面反射面として形成されている。／ビーム偏向手段が平面反射面として形成されている実施形態によるマルチアパーチャ撮像装置の概略平面図である。
【図１６】一実施形態による多開口イメージング装置の概略平面図であり、アクチュエータ手段はボイスコイル駆動装置を含む。
【図１７ａ】一実施形態に係るマルチ開口撮像装置の概略上面図であり、ビーム偏向手段は、複数のビーム偏向要素を含む。／ビーム偏向手段が複数のビーム偏向要素を含む実施形態によるマルチ開口撮像装置の概略上面図である。
【図１７ｂ】図１７ａのマルチ開口撮像装置の概略平面図であり、ビーム偏向手段は変更された位置を含む。
【図１８ａ】一実施形態に係るマルチ開口撮像装置の概略平面図であり、図１７ａのマルチ開口撮像装置に関して、イメージセンサと単一ラインアレイとの間の距離を変化させるための圧電アクチュエータを含む。
【図１８ｂ】図１のマルチアパーチャ撮像装置のビーム偏向手段が変更された位置にある。
【図１９ａ】一実施形態によるイメージセンサおよび単一ラインアレイの概略平面図であり、前記単一ラインアレイが前記アクチュエータ手段のアクチュエータに接続されていることを特徴とする装置。
【図１９ｂ】一実施形態による図１９ａのマルチ開口撮像装置の概略側面断面図であり、タは2つの平面の領域内に完全に配置される。
【図２０ａ】図１９ａおよび図１９ｂによるイメージセンサおよび単一ラインアレイの構成を備える実施形態によるマルチ開口撮像装置の概略平面図である。
【図２０ｂ】図２０ａのマルチ開口撮像装置の概略側面断面図である。
【図２１ａ】アクチュエータがイメージセンサに接続されている実施形態によるイメージセンサおよび単一ラインアレイの構成の概略平面図である。
【図２１ｂ】一実施形態による図２１ａによる構成の概略側面断面図である。
【図２２ａ】一実施形態によるマルチ開口撮像装置の概略平面図であり、アクチュエータ手段のアクチュエータはイメージセンサに接続されている。
【図２２ｂ】図２０ｂによるマルチ開口撮像装置の概略側面断面図であり、前記アクチュエータは、前記イメージセンサに接続される。
【図２３ａ】１つの実施形態によるイメージセンサおよび単一ラインアレイの構成の概略平面図であって、アクチュエータが、単一ラインアレイから離れて面するイメージセンサの側に配置されている。
【図２３ｂ】図２３ａの構成の概略側面断面図である。
【図２４ａ】一実施形態によるイメージセンサおよび単一ラインアレイの概略平面図であり、アクチュエータは機械的接続によって単一ラインアレイに接続されている。
【図２４ｂ】図２４ａの構成の概略側面断面図である。
【図２５】一実施形態による旋回ビーム偏向手段を有するマルチ開口撮像装置の概略側面断面図である。
【図２６】本明細書に記載された実施形態で取り込むことができるときの全視界の概略図である。
【図２７】一実施形態による撮像システムの概略斜視図である。そして、
【図２８】第１のマルチ開口撮像装置と、共通のイメージセンサを有する第２のマルチ開口撮像装置とを含む概略構造である。
【発明を実施するための形態】
【００１３】
図面を参照して本発明の実施形態を以下に詳細に説明する前に、異なる図面における同一の、機能的に等しくまたは等しい要素、対象および／または構造には、異なる図面において同じ参照番号が付されていることに留意されたい。そのような異なる実施形態に示されたこれらの要素の説明は、相互交換可能であるか、または相互に適用可能である。
【００１４】
以下に説明される実施形態は、前後、左右、上または下のような相対的な位置の用語を参照して説明される。これらの用語は、本明細書に記載された教示を限定することなく、互いまたは対で相互交換することができることは明らかである。したがって、これらの用語は限定的な効果を有するものではなく、理解容易性を向上させる役割を果たすだけである。
【００１５】
図１は、一実施形態によるマルチ開口撮像装置１０の概略斜視図を示す。マルチ開口撮像装置１０は、イメージセンサ１２と、並置された光チャネル１６ａおよび１６ｂの単一ラインアレイ１４とを含む。各光チャネルは、イメージセンサ１２のイメージセンサ領域１３ａまたは１３ｂ上の対象領域の部分領域を投影するための光学系１７ａまたは１７ｂを含む。マルチ開口撮像装置１０は、光チャネル１６ａまたは１６ｂの１つ、いくつか、または各光路２２ａおよび／または２２ｂを偏向するためのビーム偏向手段１８を含む。光チャネルは、光路２２ａおよび２２ｂの曲線として考えることができる。光路２２ａおよび２２ｂは、光チャネル１６ａおよび１６ｂもまたアレイ１４を通過することができるように、アレイ１４を通過することができる。光チャネル１６ａおよび１６ｂは、例えばイメージセンサ１２とビーム偏向手段１８との間のビーム偏向方向に沿った伸長軸上のアレイ１４によって制限されない。
【００１６】
単一ラインアレイ１４は、例えば、光チャネルが通過する担体１５を含むことができる。このために、担体１５は、不透明に構成することができ、光チャネル用の透明領域を有することができる。光チャネルの光学系は、透明領域内または透明領域に隣接して、および／または、それらの端部領域に配置することができる。これに代えてまたはこれに加えて、担体１５は、透明な態様で形成することができ、例えば、ポリマー材料および／またはガラス材料を含むことができる。光学系（レンズ）は、イメージセンサ１２のそれぞれのイメージセンサ領域１３ａ〜１３ｂ上の全視野のそれぞれの部分視野の投影に影響を与える、担体１５の表面上に配置することができる。
【００１７】
イメージセンサ領域１３ａおよび１３ｂは、例えば、それぞれがピクセルアレイを含むチップで形成され、イメージセンサ領域は、共通基板または共通盤上に実装することができる。あるいは、イメージセンサ領域１３ａおよび１３ｂが、イメージセンサ領域１３ａおよび１３ｂを横切って連続して延びる共通ピクセルアレイの一部で形成されてもよく、共通ピクセルアレイは、例えば単一チップ上に形成される。そして、例えば、イメージセンサ領域１３ａ、１３ｂにおいて、共通ピクセルアレイのピクセル値のみが読み出される。明らかに、これらの選択肢の異なる組み合わせ、例えば、２つ以上のチャネルのための１つのチップの存在、および異なるチャネルのためのさらなるチップの存在なども可能である。イメージセンサ１２のいくつかのチップの場合には、例えば、１つまたは複数の基盤上に、例えばそれらのすべてを一緒に、またはグループなどで取り付けることができる。
【００１８】
図２の文脈でより詳細に説明するように、イメージセンサ１２、アレイ１４およびビーム偏向方向１８は、空間内の直方体に及ぶことができる。直方体は、また、仮想直方体と考えることができ、例えば、最小容積、特に、ｙ方向または厚さ方向への方向に沿った最小垂直延長部を有することができ、イメージセンサ、単一ラインアレイ１４およびビーム偏向手段１８を含むことができる。最小容積は、イメージセンサ１２、アレイ１４、および／または、ビーム偏向手段１８の配置および／または移動の操作によって広がる直方体を描くように考えることもできる。単一ラインアレイ１４は、ライン伸長方向２４を含むことができ、それに沿って光学チャネル１６ａおよび１６ｂが並置され、場合により互いに平行である。ライン伸長方向２４は、空間的に静止した状態とすることができる。
【００１９】
仮想直方体は、互いに反対方向に平行に向けられて、光路１６ａおよび１６ｂの光路２２ａおよび／または２２ｂの一部に平行であるとともに、単一ラインアレイ１４のライン伸長方向２４に平行に向けられる２つの側面を有することができ、それぞれ、イメージセンサ１２とビーム偏向手段１８との間に設けられる。簡単に言えば、限定するものではないが、これらは、例えば、仮想直方体の上部および下部であり得る。２つの側面は、第１の平面２６ａと第２の平面２６ｂとに及ぶことができる。これは、直方体の２つの側面が、それぞれ、平面２６ａおよび２６ｂの一部であることをそれぞれ意味する。マルチ開口撮像装置のさらなる構成要素は、平面２６ａと２６ｂとの間の領域内に完全に配置されているが、平面２６ａおよび／または２６ｂの表面法線に平行な方向に沿ったマルチ開口撮像装置１０の設置スペース要件が低く、有利であるように、少なくとも部分的に配置されていてもよい。マルチ開口撮像装置の容積は、平面２６ａと２６ｂとの間の設置スペースを最小限に抑えることができる。マルチ開口撮像装置の設置スペースは、平面２６ａおよび／または２６ｂの側面または伸長方向に沿って、または任意の大きさとすることができる。仮想直方体の体積は、例えば、イメージセンサ１２、単一ラインアレイ１４およびビーム偏向手段の配置によって影響され、ここに記載された実施形態によるこれらの構成要素の配置は、これらの構成要素の、平面に垂直な方向に沿った設置スペース、ひいては平面２６ａおよび２６ｂの互いに対する距離が低くなるか、または最小になるように行うことができる。構成要素の他の配置と比較して、仮想直方体の他の辺の体積および／または距離を拡大することができる。
【００２０】
マルチアパーチャ撮像装置１０は、イメージセンサ１２と、単一ラインアレイ１４と、ビーム偏向手段１８との間の相対的な動きを生成するアクチュエータ手段２８を含む。アクチュエータ手段は、少なくとも部分的に平面２６ａと２６ｂとの間に配置される。アクチュエータ手段２８は、イメージセンサ１２、単一ラインアレイ１４、またはビーム偏向手段１８の少なくとも１つを、少なくとも１つの軸の周りに回転して、および／または、１つまたは複数の方向に沿って並進して、動かせるように構成することができる。このために、アクチュエータ手段２８は、イメージセンサ１２、単一ラインアレイ１４および／またはビーム偏向手段１８を他の構成要素の少なくとも１つに対して相対的に動かせるように構成された少なくとも１つのアクチュエータを含むことができる。
【００２１】
以下でより詳細に説明するように、イメージセンサ１２と単一ラインアレイ１４との間の距離を変更することは、例えば光チャネル１６ａおよび／または１６ｂの焦点を変更するために使用することができる。代替的または追加的に、光学的画像安定化を可能にすることができる。このために、イメージセンサ１２と単一ラインアレイ１４との間の相対的な並進移動は、単一ラインアレイ１４に対するイメージセンサ１２の動きに基づいて、生成することができ、および／または、アクチュエータ手段２８によってその逆もまた同様である。このために、イメージセンサ１２と単一ラインアレイ１４との間の並進相対移動は、アクチュエータ手段２８によって、単一ラインアレイ１４に対するイメージセンサ１２の動きに基づいて、および／またはその逆に、生成され得る。相対的な動きは、キャプチャーされる画像の第１の画像軸に沿って光学的画像安定化を得るために、ライン伸長方向２４に沿って、あるいは、それに平行方向または逆平行方向に沿って生成され得る。代替的または追加的に、ビーム偏向手段１８の横方向のシフトは、マルチ開口撮像装置１０の視線方向および／または第２の画像軸に沿った光学的画像安定化のために、例えば、ライン伸長方向２４に沿って、および／または、回転軸３２の周りのビーム偏向手段１８の回転によって、発生させることができる。回転軸線３２は、例えば、ライン伸長方向２４に平行に、および／または、空間に垂直に配置することができる。ビーム偏向手段１８の回転運動は、軸３２の周りで行うことができ、軸３２は、ライン伸長方向２４に平行に配置することができる。
【００２２】
実施形態によれば、平面２６ａおよび／または２６ｂに垂直な方向に沿って、マルチ開口撮像装置１０の小さな延長部が得られるように、アクチュエータ手段２８は、イメージセンサ１２と、単一ラインアレイ１４と、ビーム偏向手段１８との間の相対的な動きを生成するように構成されている。アクチュエータ手段は、例えば、光学的画像安定化のために、ライン伸長方向２４に平行および／または逆平行のイメージセンサ１２と単一ラインアレイ１４との間の相対的な並進シフトと、軸３２の周りのビーム偏向手段の回転運動とを発生させるように構成することができる。これにより、平面２６ａおよび／または２６ｂに垂直な厚み方向に沿った設置スペースの確保を防止あるいは排除することができ、小型化されたマルチ開口撮像装置を可能にすることができる。
【００２３】
ｘ方向、ｙ方向およびｚ方向は、例えばデカルト座標系に及ぶことができる。さらなる実施形態によれば、ｘ軸、ｙ軸および／またはｚ軸は互いに≠９０°の角度を有する。平面２６ａと２６ｂとの間にアクチュエータ手段２８を配置する利点は、厚さ方向ｙに沿ったマルチ開口撮像装置１０の延長が、アクチュエータ手段２８によって大きくないか、または、ほんの僅かしか増加しないことである。これにより、少なくともｙ方向に沿って、またはライン伸長方向２４に垂直に、小型化または平坦化構造のマルチ開口撮像装置が可能になる。これにより、マルチ開口撮像装置を平らな筐体に配置することが可能となる。
【００２４】
図２は、マルチ開口撮像装置１０の概略側断面図を示す。点線は、図１の文脈で説明した仮想直方体３４を示す。仮想直方体３４は、例えば最小容積を有し、依然としてイメージセンサ１２、単一ラインアレイ１４およびビーム偏向手段１８を含み、仮想直方体３４は、ビーム偏向手段１８、単一ラインアレイ１４およびイメージセンサ１２の意図された動きを考慮することができる。面２６ａおよび２６ｂは、仮想直方体３４の２つの側面を含むことができ、またはそれらによって広がることができる。マルチ開口撮像装置１０の厚さ方向３６は、平面２６ａおよび／または２６ｂに対して垂直に、および／またはｙ方向に平行に配置することができる。
【００２５】
アクチュエータ手段は、厚さ方向３６に平行な広がりまたは伸長部３８を有することができる。広がり３８の最大５０％、最大３０％または最大１０％の部分４３は、面２６ａおよび２６ｂ間の領域４４から出発して平面２６ａおよび／または２６ｂを越えて領域４４から突出することができる。これは、アクチュエータ手段２８が、せいぜい平面２６ａおよび／または２６ｂを超えてわずかに突出することを意味する。実施形態によれば、アクチュエータ手段２８は、平面２６ａおよび２６ｂを越えて突出していない。マルチ開口撮像装置１０の厚さ方向２６に沿った伸張は、アクチュエータ手段２８によって増大されないという利点がある。
【００２６】
図３は、仮想直方体を説明するためのマルチ開口撮像装置１０の概略上面図を示す。アクチュエータ手段は、イメージセンサと単一ラインアレイとの間の距離４６を変更するように実施することができる。これは、例えば、イメージセンサ１２、および／または、ｘ方向に沿って、または、イメージセンサ１２とビーム偏向手段１８との間の光チャネルの光路の曲線に沿った、単一ラインアレイ１４のシフトに基づいて実行することができる。ここで、距離４６の変化は、距離４８の同時変化と組み合わせることができ、あるいは、距離４８は影響を受けず、すなわち、距離４８を維持することができる。ここで、同時とは、距離４８が距離４６と同じ時間間隔の間に変更され、および／または全視野がキャプチャーされる前に変更されることを意味することができる。例えば、焦点位置、すなわち距離４６を変更するとき、ビーム偏向手段１８は、距離４８が一定または少なくとも本質的に一定のままであるように、アクチュエータ手段２８によって共に動かせることができる。あるいは、ビーム偏向手段１８は、距離４８が可変であるように静止していてもよい。代替的にまたは追加的に、アクチュエータ手段２８は、ビーム偏向手段１８と単一ラインアレイ４０との間の距離４８を変更するように構成することができる。例えば、アクチュエータ手段２８は、ビーム偏向手段１８および／または単一ラインアレイ１４を、イメージセンサ１２とビーム偏向手段との間の光チャネルの光路の一部に沿って、互いに相対的に動かせるように構成することができる。代替的にまたは追加的に、アクチュエータ手段２８は、ビーム偏向手段１８を回転軸３２の周りの回転運動５２に設定するように構成することができる。これに代えて、またはそれに加えて、アクチュエータ手段２８は、ビーム偏向手段１８をライン伸長方向２４に平行に並進的にシフトさせるように構成することができ、例えば、マルチ開口撮像装置１０の視線方向を切り替えることができる。視線方向を切り替えることは、偏向された光路が可変開口部を通り抜けてマルチ開口撮像装置１０のハウジングから出ることができるように、ビーム偏向手段が光路を可変的に偏向することを意味することができる。
【００２７】
これに代えてまたはそれに加えて、アクチュエータ手段２８は、ライン伸長方向２４に平行に互いに関連して単一ラインアレイ１４およびイメージセンサ１２を動かせるように構成することができ、例えば単一ラインアレイ１４の並進運動によって、および／またはライン伸長方向２４に沿ったイメージセンサ１２の並進運動によって、動かすことができる。これは、少なくとも１つの画像軸に沿った光学的画像安定化のために使用することができる。並進運動は、２つの画像軸に沿って光学的画像安定化を可能にするために、ライン伸長方向に平行で、且つ、それに垂直な（例えば、ｚ方向およびｙ方向に沿った）２次元の態様で行うこともできる。
【００２８】
相対的な動き（並進運動）を発生させるためのアクチュエータ手段２８は、例えば図２に示すように、単一ラインアレイ１４から離れて対向しているイメージセンサ１２の側に配置することができる。簡単に言えば、これに限定されるものではないが、これはイメージセンサ１２の後ろのアクチュエータ手段２８のアクチュエータの配置と考えることができる。代替的にまたは追加的に、アクチュエータ手段２８は、例えば図３に示すように、ライン伸長方向２４に平行な方向に沿って仮想直方体３４に対して横方向にオフセットして配置することができる。簡単に言えば、これに限定されるものではないが、これはイメージセンサ１２、単一ラインアレイ１４および／またはビーム偏向手段１８の側のアクチュエータの配置と考えることができる。これに代えてまたはそれに加えて、アクチュエータ手段２８またはその少なくとも１つのアクチュエータを、単一線アレイ１４から離れて対向するビーム偏向手段の側に配置することができる。これは、イメージセンサ１２とビーム偏向手段１８との間の光チャネルを通る光路に平行なビーム方向に沿ったイメージセンサと単一ラインアレイとの間の距離４６の変化またはビーム方向に沿った単一ラインアレイ１４とビーム偏向手段１８との間の距離４８の変化を含み得ることを意味する。これにより、焦点位置の変更が可能になる。これに代えてまたはそれに加えて、単一ラインアレイ１４の相対的な並進運動および／またはライン伸長方向２４に沿ったイメージセンサ１２の相対的な並進運動によって、光学的画像安定化を可能にすることができる。
【００２９】
アクチュエータ手段は、光学的画像安定化のために変化するように構成されたボイスコイルモータなどのアクチュエータ、単一ラインアレイ１４のライン伸長方向２４に垂直で且つイメージセンサ１２に平行な平面２５に、単一ラインアレイ１４に対するイメージセンサ１２の相対位置を含むことができる。相対位置は、１つまたは２つの方向に沿って変化させることができる。
【００３０】
図４は、一実施形態によるマルチ開口撮像装置４０の概略斜視図を示す。マルチ開口撮像装置４０は、例えば４つのイメージセンサ領域またはイメージセンサ部分領域１３ａ〜１３ｄを含むイメージセンサ１２を含む。各イメージセンサ領域１３ａ〜１３ｄは、光チャネルに割り当てることができる。単一ラインアレイ１４は、ライン伸長方向２４に沿って配置される並置された光チャネルの一部である４つの光学系１７ａ〜１７ｄを含む。ビーム偏向手段１８は、例えば、多数の光チャネルおよび／または多数の光学系１７ａ〜１７ｄに対応することができる多数のビーム偏向要素５４ａ〜５４ｄを含む。
各ビーム偏向要素５４ａ〜５４ｄは、各光路２２ａ〜２２ｄが異なる光路に導かれるものの全体の視野（対象領域）の一部の視野を部分的にオーバーラップさせるように、例えば、イメージセンサ１２とビーム偏向手段１８との間で異なる方向に、少なくとも部分的に、互いに平行に実行する光路２２ａ〜２２ｄを偏向させるように構成することができる。これは、光路２２ａ〜２２ｄが同じ視線方向に偏向されることができる一方で、光路２２ａ〜２２ｄは、ビーム偏向手段によって偏向された後に、異なる視野の一部に向けられるように、同じ視野方向内で互いに角度を有することができる。ビーム偏向要素５４ａ〜５４ｄは、例えば、ファセットおよび／または異なる曲面にすることができる。ここで、ファセットの数は、光チャネルの数と異なることができる。光路２２ａ〜２２ｄは、イメージセンサ１２とビーム偏向手段１８との間で互いに平行に向けることができ、ビーム偏向手段によって異なる方向に偏向することができる。代替的にまたは追加的に、単一ラインアレイの光学系は、光路２２ａ〜２２ｄがビーム偏向手段１８に互いに平行に衝突することができないように、少なくとも一方向に沿って光路２２ａ〜２２ｄを偏向させることができる。
【００３１】
アクチュエータ手段２８は、ライン伸長方向２４に沿って、および／またはそれに対向して、単一ラインアレイ１４を並進的に動かせるように構成された第１のアクチュエータ５８を含む。アクチュエータ手段２８は、回転運動５２を発生するように構成された第２のアクチュエータ５７を含む。回転運動５２に基づいて、光学的画像安定化を、ライン伸長方向２４に垂直な画像軸５８に沿って得ることができる。回転運動は、例えば、ビーム偏向手段１８の位置に対して±１５°、±１０°または±１°の角度範囲を有することができる。これは、例えば、ビーム偏向手段の安定した位置または離散した位置の周りをさらに傾けることとして考えることができる。単一ラインアレイ１４の並進運動に基づいて、光学的画像安定化は、ライン伸長方向２４に平行な画像軸６２に沿って得ることができる。
【００３２】
代替的にまたは追加的に、アクチュエータ５６またはさらなるアクチュエータは、イメージセンサ１２をライン伸長方向２４に沿ってまたはそれと反対に動かすように構成することができる。イメージセンサの電気的接続に対してわずかな機械的応力をかけるために、単一ラインアレイ４０を並進的にシフトさせることが有利であり得る。
【００３３】
代替的または追加的に、アクチュエータ５７は、画像軸６２に沿って光学的画像安定化を得るために、ビーム偏向手段１８を単一ラインアレイ１４に対して動かせるように、および／または、イメージセンサ１２に対してライン伸長方向２４に平行にまたはそれと反対に動かすように構成することができる。ライン伸長方向２４は、画像軸６２と平行に配置することができる。
【００３４】
図４に示すように、ビーム偏向手段１８は、例えば正のｙ方向に沿って、光チャネルの光路２２ａ〜２２ｄを偏向するように構成されている。例えば、アクチュエータ５７によって発生させることができる光学的画像安定化のための回転運動５２に重畳された回転運動は、光路２２ａ〜２２ｄが異なる方向、例えば負のｙ方向に沿って偏向されるという効果を有することができる。ビーム偏向手段１８は、例えば、反射的に構成された両側、すなわち２つの主面に反射的に構成することができる。回転運動は、また、マルチ開口撮像装置４０の視線方向を切り替えるものと考えることができる。視線方向の切り替えは、例えば、１つ、２つまたは複数の方向に沿って安定なビーム偏向手段１８の位置によって実行することができ、マルチ開口撮像装置４０の視野方向に対してビーム偏向手段１８の１つの安定した位置をそれぞれ設けることができる。さらなる実施形態の文脈で説明したように、視線方向の切り替えもまた、ビーム偏向手段１８の並進運動に基づいて行われるように、マルチ開口撮像装置を構成することができる。並進運動または回転運動は、ビーム偏向手段が安定位置の間で切り換えられるように構成することができる。
【００３５】
以下では、アクチュエータ手段のアクチュエータのいくつかの有利な構成および／または実施について説明する。本明細書に記載された有効な原理は、任意の方法で組み合わせることができ、または併合または置換することができる。
【００３６】
図５は、イメージセンサ１２および単一ラインアレイ１４の概略上面図を示し、単一ラインアレイ１４は、ボイスコイルモータとして構成されたアクチュエータ手段の２つのアクチュエータ５６ａおよび５６ｂに接続されている。アクチュエータ６６ａおよび６６ｂは、単一ラインアレイ１４とイメージセンサとの間の距離４６を変更するために、方向６４に沿って単一ラインアレイを動かせるように構成される。方向６４は、空間内のライン伸長方向２４に対して垂直に配置することができ、例えば光チャネルの光路の方向に平行に実行することができる。距離４６の変化に基づいて、光チャネルの焦点を変更して、フォーカス機能および／またはオートフォーカス機能を得ることができる。アクチュエータ６６ａおよび６６ｂは、例えば、アクチュエータ５６の代わりにまたはそれに加えて配置することができ、アクチュエータ手段２８の一部とすることができる。アクチュエータ６６ａおよび６６ｂは、イメージセンサ１２に対するアレイ１４の平行または角度の向きを特に調整するために、同期してまたは個別に制御することができる。
【００３７】
図６ａは、イメージセンサ１２、単一ラインアレイ１４およびビーム偏向手段１８の概略上面図を示す。アクチュエータ５６ａおよび５６ｂは、単一ラインアレイ１４に接続されているか、またはその上に配置されており、単一ラインアレイ１４をライン伸長方向２４に沿ってシフトさせるように構成されている。これは、アクチュエータ手段が、ライン伸長方向２４に沿って単一ラインアレイ１４を動かせるように構成されたアクチュエータ５６ａおよび／または５６ｂを含み得ることを意味する。
【００３８】
例えば、ライン伸長方向２４に沿った単一ラインアレイ１４のシフトに基づいて、画像軸６２に沿った光学的画像安定化を得ることができる。単一ラインアレイ１４は、復元要素６８に機械的に接続することができる。これは、例えば復元ばねであり得る。バネ要素６８は、例えば、アクチュエータ５６ａおよび／または５６ｂによって生成された力が存在しない場合に、単一ラインアレイ１４を所定の位置および／または初期位置に動かせるように構成することができる。これは、例えば、ライン伸長方向２４および／または中心位置に沿った最小位置または最大位置とすることができる。アクチュエータ５６ａは、平面２５内の単一ラインアレイ１４に関してイメージセンサ１２の相対位置を変更するように構成することができる。ばね要素６８は、例えば、機械式、空気式、油圧式または他の種類のばねとして実施することができる。アクチュエータ５６ａおよび／または５６ｂは、例えば、ボイスコイルドライブとして実装することができる。ビーム偏向手段は、図４に示すアクチュエータ５７との関連で説明したように、ビーム偏向手段１８を回転運動５２に設定するように構成することができるアクチュエータ５７ａおよび／または５７ｂに接続することができる。回転軸３２を中心とする回転運動５２は、回転軸３２に垂直な画像軸に沿った光学的画像安定化のために使用することができ、例えば、画像軸６２に垂直に配置された図４との関連で説明した画像軸５８内に配置される。簡単に言えば、画像軸５８および６２は、キャプチャーされる画像の画像領域にわたる互いに垂直に配置された画像軸であってもよい。
【００３９】
アクチュエータ５７ａ、５７ｂは、例えば、空気圧、油圧、圧電アクチュエータ、ＤＣモータ、ステップモータ、熱アクチュエータ、静電アクチュエータ、電歪および／または磁歪アクチュエータまたは駆動装置、交流モータおよび／またはボイスコイル駆動装置として形成することができる。
【００４０】
図６ｂは、イメージセンサ１２および単一ラインアレイ１４の配置の概略上面図を示す。単一ラインアレイ１４は、単一ラインアレイ１４を単一の方向２４または６４に沿って動かせるようにそれぞれ構成された複数のアクチュエータ７２ａ〜７２ｄに接続することができる。いくつかのアクチュエータの力の平行（並列）または逐次重畳に基づいて、アレイ１４の平行移動は、いくつかの方向に沿って、すなわち、同じ方向にまたは連続して、すなわち重ね合わされた異なる方向に行うことができる。アクチュエータ７２ａは、例えば、単一ラインアレイ１４を方向６４に沿って動かせるように構成することができる。さらなるアクチュエータ７２ｂは、ライン伸長方向２４に沿って単一ラインアレイ１４をシフトさせるように構成することができる。アクチュエータ７２ａおよび７２ｂが共通のステータ磁石を含むように図示されているが、両方のアクチュエータ７２ａおよび７２ｂは、個々の構成要素、すなわち互いに独立して形成することもできる。
【００４１】
アクチュエータ７２ａおよび７２ｂは、単一ラインアレイ１４の第１の側面に配置することができる。単一ラインアレイ１４の第２の側面、例えばライン伸長方向２４に沿った反対側には、アクチュエータ７２ａおよび７２ｂと同等であり、アクチュエータ７２ａおよび／または７２ｂと共に単一ラインアレイ１４のシフトを生成するように構成されるアクチュエータ７２ｃおよび７２ｄのような１つまたは複数の別のアクチュエータを配置することができる。
【００４２】
バネ要素６８ａ〜６８ｄは、単一ラインアレイ１４と固定アンカーポイントとの間に配置することができ、アクチュエータ７２ａ〜７２ｄが動作していないときの単一ラインアレイ１４の最大位置または中心位置などの基準位置を調整するように構成することができる。単一ラインアレイ１４の一方の側面には、２つのばね要素６８ａおよび６８ｂまたは６８ｃおよび６８ｄが示されているが、バネ要素なし、１つのバネ要素、あるいは、直列または並列に接続することができる２つ以上のバネ要素などの異なる数のばね要素を配置することもできる。
【００４３】
図６ｃは、図５ｂの構成の概略図を示し、アクチュエータ７２ａおよび７２ｃのそれぞれの少なくとも１つの構成要素７３ａまたは７３ｂが、単一ラインアレイ１４のイメージセンサ１２から離れて面している側面に配置されている。構成要素７３ａおよび７３ｂは、例えば、ボイスコイル駆動装置として形成されたアクチュエータ７２ａおよび７２ｄのボイスコイルであってもよく、アクチュエータも異なるように形成することができる。また、固定子磁石のようなイメージセンサ１２から離れて面している単一ラインアレイ１４の側面に別の構成要素を配置することもできる。アクチュエータ７２ａおよび／または７２ｃがボイスコイル駆動装置とは異なって形成されている場合、それぞれの構成要素は、イメージセンサ１２に面しているかまたは対向する単一ラインアレイ１４の側面に配置することができる。あるいは、アクチュエータの１つまたはいくつかの構成要素が、横方向に、すなわち単一ラインアレイ１４の横にあるライン伸長方向２４に沿って配置することも可能である。
【００４４】
図６ｂおよび図６ｃは、アクチュエータ７２の位置が対称的であり、アクチュエータ７２ａ〜７２ｄが同じように形成されるように記載されているが、アクチュエータの構成要素の位置およびタイプの両方またはアクチュエータ全体を自由に組み合わせて変更することができる。
【００４５】
図６ｄは、図６ｂによる構成の概略平面図を示し、アクチュエータ７２ａおよび７２ｂならびにアクチュエータ５７ａおよび５７ｂは、ボイスコイルドライブ内のコイルおよび磁石の交換された配置を有する。このようにして、アクチュエータ５７ａ、５７ｂまたは７２ａ〜７２ｄの少なくとも１つは、図示されているように、コイル７５が静止している間ずっと、１つの磁石が可動物体、ビーム偏向手段１８または単一ラインアレイ１４に接続されるように構成することができる。このようにして、特に電気的に得られた磁力において、コイルの電気的な適用は、可動の構成要素への電気エネルギーの伝達が防止され得るように、固定的に実行され得る。
【００４６】
言い換えれば、アクチュエータは、オートフォーカスおよび／または光学的画像安定化のための駆動部が光学アレイに直接作用するように配置することができる。コイルと磁石は任意の方法で交換できる。スプリング要素は、可動部品の誘導および／またはリセットを可能にするように構成することができる。ばね要素は、固定されたサスペンションに配置することができる。
【００４７】
図６ｅは、例えば、ビーム偏向手段１８の回転運動、例えば回転運動５２を得るために配置され得る駆動装置の概略側面断面図を示す。
【００４８】
駆動装置は、例えばボイスコイル駆動装置として形成された２つのアクチュエータ５７ａおよび５７ｂを含むことができるが、互いに独立して、１つまたは複数の任意の他のアクチュエータ原理を実現することもできる。アクチュエータ５７ａは、例えば直線運動Ａ１を発生するように構成されている。直線運動Ａ１は、方向６４に対して平行または逆平行であり得る。アクチュエータ５７ｂは、例えば、空間的に直線運動Ａ１に垂直に配置された方向成分を有する直線運動Ａ２を生成するように構成されている。
さらに、線形移動は、ライン伸長方向２４に対して空間的に垂直であり得る。アクチュエータ５７ａの可動要素７７、例えばカンチレバーまたは従動子は、ビーム偏向手段の回転軸７９に接続することができる。アクチュエータ５７ｂは、機械的結合または磁気的結合など、可動要素７７との力結合を提供するように構成することができる。したがって、直線運動Ａ２に基づいて、直線運動Ａ１が可動要素７７を動かす方向に影響を与えることができる。これは、可動要素７７と回転軸７９との間の、例えば、機械的接触による力結合を確立または解除するために使用することができる。
【００４９】
可動要素７７と回転軸７９との間の力結合と、正の方向６４に沿った直線運動Ａ１とに基づいて、時計回り方向に沿った回転運動５２が得られる。負の方向６４に沿った直線運動Ａ１は、反時計回り方向の回転運動５２をもたらすことができる。アクチュエータ５７ａのアクチュエータがフルに動かしたにもかかわらず、一方の方向へのさらなる回転運動５２が望ましい場合、ビーム偏向手段にアクチュエータの力を加えることなく、可動要素７７と回転軸７９との間の力結合を解放した後、アクチュエータを直線移動Ａ２で後退させることができる。その後、可動要素７７と回転軸７９との間の力結合は、逆方向の直線運動Ａ２などによって再び確立することができる。これは、ばね要素６８を復元することによっても得ることができる。引き続いて、アクチュエータ５７ａを再び動かして、ビーム偏向手段の更なる回転運動が回転軸７９を介して行われるようにする。
【００５０】
図６ｆは、図６ｄのアクチュエータ概念の概略側面断面図を示し、可動要素７７の２つの対向する側面８１ａおよび８１ｂが、回転運動５２の間に、回転軸７９と、すなわち、最大で２つの側面８１ａまたは８１ｂの一方で、交互に力結合するように、可動要素７７は、回転軸７９によって両側で、例えばフォークまたはフレームとして接触可能であるように構成されている。したがって、例えば、側面８１ａと接触しているときの正方向６４に沿った直線運動Ａ１と、側面８１ｂと接触しているときの負方向６４に沿った直線運動Ａ１は、時計方向に回転運動５２を可能にすることができる。これに代えてまたはこれに加えて、負方向６４に沿った直線運動Ａ１は、側面８１ａと接触するとき、さらには正方向６４に沿った直線運動Ａ１に沿って、側面８１ｂと接触しているとき、反時計方向に回転運動５２を可能にすることができる。回転軸線７９と接触または力結合している側面８１ａまたは８１ｂ間の切換えは、アクチュエータ５７ｂまたは直線運動Ａ２によって行うことができる。これにより、直線運動Ａ１の両方向においてアクチュエータ５７ａのアクチュエータ移動を利用することができる。したがって、図６ｅの概念と比較して、アクチュエータ５７ａの移動のより高い部分を回転運動５２に使用することができ、これにより、より速い回転運動および／またはより低いエネルギー消費をもたらすことができる。
【００５１】
図６ｇは側面８１ａも側面８１ｂも回転軸７９と接触していない可動要素７７の位置の概略図を示し、例えば、直線運動Ａ２に基づいて、一方の側面の力結合が解除され、他方の側との力結合がまだ確立されていない。
【００５２】
図６ｆおよび図６ｇは、２つの対向する側面が回転軸と力結合するように図示されているが、同じことが２つの隣接する側面であってもよい。図６ｆおよび図６ｇは、側面８１ａおよび８１ｂが水平移動に沿って互いに対向して配置されるように示されているが、側面８１ａおよび／または８１ｂの少なくとも１つは、垂直方向に沿って配置することもできる。例えば、アクチュエータ５７ａ、５７ｂの位置も相互に入れ替えることができる。
【００５３】
ビーム偏向手段１８と組み合わせて、マルチ開口撮像装置の視線方向の切り替えを得るために、このようなアクチュエータによって、実質的に無限大の設置角度を得ることができる。さらに、同じアクチュエータユニットを使用して、方向５８に沿った像安定化を得るためにビーム偏向ユニット１８の必要な回転運動を提供することができ、マルチ開口撮像装置の視線方向を切り替えるために必要な回転角よりも小さい回転角が必要であり、必要な移動は、例えば、単に、方向Ａ１に沿ったアクチュエータ５７ａの作動に基づいている。
【００５４】
さらに、可動要素７７と回転軸７９との間の結合点は、２つの構成要素が接触するときおよび方向Ａ１に沿った動きが起こらないとき、さらなる回転運動が防止されるように構成することができる。言い換えると、可動要素７７と回転軸７９との間の結合点は、アクチュエータ５７ａの非作動の場合、回転軸７９の向きの角度を固定するように働き、したがって、ロックブレーキの効果を有する。
【００５５】
一実施形態では、可動要素７７と回転軸７９の機械的結合が、アクチュエータ５７ｂの非作動の場合に存在する。換言すれば、アクチュエータ５７ｂがスイッチオフされたときに結合が存在する。したがって、アクチュエータ５７ｂがスイッチオフされたときにロックブレーキの効果が得られ、その結果、エネルギー消費がより少なくなる。機械的結合を得るために必要な力を加えるために、例えば、バネ要素６８を使用することができる。
【００５６】
図６ｈに示すように、アクチュエータ５７ａまたは５７ｂの少なくとも１つにおいて、磁石８３ａおよび／または８３ｂが移動可能に配置され、アクチュエータ５７ａおよび５７ｂのコイル５７ａおよび／または５７ｂがそれぞれ固定された方法で配置されるように、磁石またはコイルの配置を交換することもできる。
【００５７】
言い換えると、アクチュエータは、例えばアクチュエータ５７ａの一方が可動要素の前進を提供するように構成され、他方が可動要素と被駆動要素の回転軸との間で可変結合を提供するように構成されたリニア駆動装置の組み合わせとして実施することもできる。カンチレバーまたは可動要素は、前進方向に垂直な傾斜運動または純粋な並進運動を行うことができる。
【００５８】
図７は、イメージセンサ１２、単一ラインアレイ１４およびビーム偏向手段１８の概略上面図を示し、ここで、図５および図６のアクチュエータ６６ａおよび５６ａ並びに６６ｂおよび５６ｂの動作モードがそれぞれ組み合わされる。これは、アクチュエータ６６ａおよび５６ａ並びに６６ｂおよび５６ｂがそれぞれ積み重ねられて配置されるように考えることもできる。単一ラインアレイは、例えば単一ラインアレイ１４の端部位置において、ライン伸長方向２４に沿って単一ラインアレイ１４に接続されたアクチュエータ７２ａおよび７２ｂに接続することができる。アクチュエータ７２ａおよび／または７２ｂは、ライン伸長方向２４（すなわち、それに平行および／または逆平行に）に沿って、且つ、方向６４に沿って、単一ラインアレイ１４を動かせるように構成することができる。
第１のボイスコイルドライブのプランジャは、例えば、第２のボイスコイルドライブのアンカーを少なくとも部分的に含むことができる。したがって、アクチュエータ７２ａおよび７２ｂは、ライン伸長方向２４および／または画像軸６２に沿ったオートフォーカス機能またはフォーカス機能の他に画像安定化もまた可能にすることができる。アクチュエータ５７ａおよび５７ｂは、画像軸５８に沿った光学的画像安定化を可能にすることができる。図７の実施形態によれば、単一線アレイ１４上に２つのアクチュエータ７２ａおよび７２ｂが配置され、ビーム偏向手段１８上に２つのアクチュエータ５７ａおよび５７ｂが配置されているものの、それぞれ、１つのアクチュエータ７２ａまたは７２ｂおよび１つのアクチュエータ５７ａまたは５７ｂが配置され得る。例えば、単一ラインアレイ１４またはビーム偏向手段１８の自由端は、可動式にベアリングによって取り付けることができる。あるいは、３つ以上のアクチュエータを配置することができる。その構造は、アクチュエータによって生成された力に反力を加えるためのばね要素と同様に、スライド、ローラまたはスプリングベアリングのような、動きを案内するための構造要素をさらに含むことができる。
【００５９】
図８ａは、圧電アクチュエータ７４に基づいて方向６４に沿って並進的に動かされるイメージセンサ１２および単一ラインアレイ１４の概略上面図を示す。アクチュエータ７４は、アクチュエータ手段２８の一部とすることができ、単一ラインアレイ１４から離れて面するイメージセンサ１２の側面に配置することができる。これは、イメージセンサ１２をアクチュエータ７４と単一ラインアレイ１４との間に配置することができることを意味している。アクチュエータ７４は、例えば、方向６４に沿って又はそれに対向して変形するように構成することができる。アクチュエータ７４は、例えば、圧電曲げアクチュエータとして形成することができ、方向６４に沿って（反対にクランプされていない）端部７６を動かせるように構成することができる。端部７６（端部領域）に代えてまたはそれに加えて、アクチュエータ７４の異なる領域は、アクチュエータ７４が変形するとき、光チャネルを通る光路に平行なビーム方向に沿って動かせることができる。
【００６０】
マルチ開口撮像装置の光学焦点を変化させるために、並進的に方向６４に沿って、またはそれとは反対の方向に動かせるように、圧電アクチュエータ７４の動きを単一ラインアレイ１４に伝達する機械的偏向手段７８は、アクチュエータ７４と単一ラインアレイ１４との間に配置することができる。単一ラインアレイ１４の動きの自由度は、アクチュエータ７４の方向６４またはそれに逆平行な方向への偏向によって制限されるように、機械的偏向手段７８および／または単一ラインアレイ１４は、軸受８２を介して取り付けることができる。アクチュエータ７４は、光チャネルを通る光路に平行なビーム方向に沿って作動中に変形するように構成された曲げアクチュエータとすることができる。これにより、フォーカス機能の高精度化と大きな移動速度の実現が可能になります。圧電アクチュエータの利点は、例えばスマートフォンのような携帯電話において、平らな筐体内のマルチ開口撮像装置１０の配置が可能になることである。
【００６１】
アクチュエータ７４のライン伸長方向に沿った伸長部の長さは、例えば、少なくとも２ｍｍｍで最大５０ｍｍ、または、少なくとも７ｍｍで最大２５ｍｍから、少なくとも１ｍｍで最大１００ｍｍの範囲とすることができ、その長さは例えば約１５ｍｍである。光学的画像安定化のためにライン伸長方向に沿った単一ラインアレイおよび／またはイメージセンサの並進運動の程度は、少なくとも１０μｍおよび最大で２０００μｍ、少なくとも２０μｍおよび最大で１０００μｍ、または、少なくとも５０μｍおよび最大で５００μｍの範囲とすることができ、例えば、約３００μｍである。その構造は、アクチュエータによって生成された力に反力を加えるためのばね要素と同様に、スライド、ローラまたはスプリングベアリングのような、動作を案内する構造要素をさらに含むことができる。
【００６２】
図８ｂは、図８ａのイメージセンサ１２および単一ラインアレイ１４の概略側面図を示す。アクチュエータ手段のアクチュエータ７４は、平面２６ａと２６ｂとの間に完全に配置される。
【００６３】
図９ａは、イメージセンサおよび単一ラインアレイの概略上面図を示し、図８ａと比較して、単一ラインアレイ１４は、２つの圧電アクチュエータ７４ａおよび７４ｂに接続されている。機械的偏向手段７８ａは、図８ａの機械的偏向手段７８の文脈で説明したように、単一ラインアレイ１４と圧電アクチュエータ７４ａとの間に配置することができる。同様に、圧電アクチュエータ７４は、機械的偏向手段７８ｂを介して、単一ラインアレイ１４に接続することができる。簡単に言えば、イメージセンサ１２と単一ラインアレイとの間の距離は、単一ラインアレイ１４の片面（図８ａ）または両面（図９ａ）の作動によって行うことができる。
【００６４】
図９ｂは、図９ａのイメージセンサ１２および単一ラインアレイ１４の概略側面図を示す。アクチュエータ手段のアクチュエータ７４ａ／７４ｂは、例えば平面２６ａと２６ｂとの間に完全に配置される。
【００６５】
図１０ａは、イメージセンサ１２および単一ラインアレイ１４の概略平面図を示し、フォーカス機能のための距離４６を変更することは、方向６４に沿ってまたは方向６４とは反対のイメージセンサ１２の動きに基づいて可能にされる。例えば圧電アクチュエータ７４のようなアクチュエータは、例えば機械的偏向手段７８を介してイメージセンサ１２に直接的または間接的に接続することができ、作動中にイメージセンサ１２を方向６４に沿ってまたはそれとは反対の方向に動かすように構成することができる。距離４６は、光チャネルを集束させるために本質的な役割を果たすことができるので、イメージセンサ１２または単一ラインアレイ１４が距離４６を変化させるために動かされるかどうかにかかわらず、フォーカス機能に影響を与えないかまたは従属的な影響しか持たない。イメージセンサ１２の電気的接触の機械的応力を低く保つために、単一ラインアレイ１４を動かせることが有利であり得る。構造体は、スライド、ローラまたはスプリングベアリングのような動きを案内するための構造要素、およびアクチュエータによって生成された力に反力を加えるためのバネ要素を依然として含むことができる。
【００６６】
図１０ｂは、図１０ａのイメージセンサ１２および単一ラインアレイ１４の概略側面図を示す。圧電アクチュエータは、平面２６ａと２６ｂとの間に配置される。
【００６７】
図１１ａは、イメージセンサ１２および単一ラインアレイ１４の概略平面図を示し、２つの圧電アクチュエータ７４ａおよび７４ｂがイメージセンサ１２に接続され、イメージセンサ１２と単一ラインアレイ１４との間の距離４６を変化させるように構成されている。図１０ａ、図１０ｂ、図１１ａ、および図１１ｂの構成の相対的な動きは、移動する構成要素への対称的な力の適用を行うことができるので、機械的な偏向手段のベアリングなしで実施することもできる。アクチュエータ７４ａおよび７４ｂの比較シフトによって、単一ラインアレイ１４またはイメージセンサ１２の傾きを防止することができる。この構造は、アクチュエータによって生成された力に反力を加えるためのばね要素と同様に、スライド、ローラまたはスプリングベアリングのような、動作を案内するための構造要素をさらに含むことができる。
【００６８】
図１１ｂは、図１１ａのイメージセンサおよび単一ラインアレイの構成の概略側面図を示す。
【００６９】
図８ａ、８ｂ、９ａ、９ｂ、１０ａ、１０ｂ、１１ａおよび１１ｂのアクチュエータは、イメージセンサ１２が単一ラインアレイ１４とアクチュエータ７４および７４ａおよび７４ｂとの間にそれぞれ配置されるように図示されているが、例えば、アクチュエータの少なくとも１つは、ビーム偏向手段１８がアクチュエータと単一ラインアレイ１４との間に配置されるように、単一ラインアレイ１４から離れて面するビーム偏向手段の側面に配置することができる。これは、イメージセンサ１２またはビーム偏向手段１８を、アクチュエータ手段の一方のアクチュエータ７４と単一ラインアレイ１４との間に配置することができることを意味する。アクチュエータ７４は、イメージセンサ１２と単一ラインアレイ１４との間の距離４６を変化させるように構成することができる。
【００７０】
機械的偏向手段７８、７８ａ、７８ｂは、それぞれ、剛性が高く構成することができ、例えば剛体とすることができる。
【００７１】
図１２ａは、イメージセンサ１２および単一ラインアレイ１４の概略平面図を示し、図８ａの図と比較して、圧電アクチュエータ７４と単一ラインアレイ１４との間に柔軟な機械的接続が配置されている。アクチュエータ８２の移動方向は、ベアリング８２ａに基づいて偏向させることができる。可撓性の機械的接続部８４ａは、例えば可撓性バンド、ワイヤ構造、または同様のものであってもよく、ベアリング８２ａは、ライン伸長方向２４に沿った単一ラインアレイ１４の並進運動が可能になるように、方向６４に沿ってアクチュエータ７４の動きを偏向するように構成される。復元要素６８と単一ラインアレイ１４との間に配置された可撓性のある機械的偏向要素８４ａに対向して配置された単一ラインアレイ１４の側にさらなる偏向要素８４ｂを配置することができる。復元要素６８に基づいて、例えば、圧電アクチュエータ７４の作動を取り去るとき、単一ラインアレイ１４を所定の位置に戻すことができる。図８ａと比較して、アクチュエータの配置は、画像軸６２に沿った光学的画像安定化のために、ライン伸長方向２４に沿った単一ラインアレイ１４の並進運動に使用することができる。
【００７２】
所定の位置は、例えば、アクチュエータ７４の作動に基づいてより高い値、例えば最大値に向けて変更される、アクチュエータ７４および／または単一ラインアレイ１４の最小の撓みであり得る。
【００７３】
図１２ｂは、イメージセンサと単一ラインアレイ１４の配置を示しており、これは図１２ａと比較することができ、アクチュエータ７４ａおよびアクチュエータ７４ｂは、機械的偏向手段８４ａおよび８４ｂを介して、単一ラインアレイ１４の２つの側面にそれぞれ接続されて、単一ラインアレイ１４の伸長方向２４に沿った往復運動を可能にする。
【００７４】
図１３ａは、イメージセンサ１２および単一ラインアレイ１４の概略平面図を示し、図１２ａの光学的画像安定化の概念は、イメージセンサ１２がライン伸長方向２４に沿って単一ラインアレイ１４に対して相対的に動かされるという点で変更されている。ベアリング８２ａ〜８２ｄに基づいて、イメージセンサ１２の移動は、ライン伸長方向２４に沿った並進運動に制限することができる。
【００７５】
図１３ｂは、イメージセンサ１２と単一ラインアレイ１４の概略平面図を示し、図１２ｂの文脈で説明したような光学的画像安定化を得るための概念は、アクチュエータ７４ａおよび７４ｂの作動に基づいて、イメージセンサ１２の動きが、単一ラインアレイ１４に関して、伸長方向２４に沿って延びている。これは、アクチュエータ手段が２つのアクチュエータを有することができ、アクチュエータの少なくとも１つが曲げアクチュエータとして形成され得ることを意味する。アクチュエータは、イメージセンサ１２と単一ラインアレイ１４との間の距離を変化させ、光チャネルを通る光路に平行なビーム方向に沿って作動中に変形するように構成することができる。第１のアクチュエータ７４ａおよび第２のアクチュエータ７４ｂは、ライン伸長方向２４に沿って単一ラインアレイ１４の異なる領域、端部および／または端部領域に接続することができる。
【００７６】
作動原理は、何の制限もなく互いに組み合わせることができることが明らかである。特に、例えば、画像安定化は、単一ラインアレイ１４に対してイメージセンサ１２を動かせることによって、および／または、イメージセンサ１２に対して単一ラインアレイ１４の動きに基づいて焦点の変化を得ることができる。さらなる実施形態によれば、構成要素の相対的な動きを生成するための原則は相互交換可能である。さらなる実施形態によれば、単に１つの構成要素を別の構成要素に対して動かせることもでき、例えばイメージセンサ１２に対する単一ラインアレイ１４、または、画像軸６２に沿った画像安定化および焦点の変化の両方を得るために、その逆も可能である。
【００７７】
図１４は、一実施形態によるマルチ開口撮像装置１４０の概略上面図を示す。アクチュエータ７４ａおよび７４ｂは、図９ａの文脈で説明したように、単一ラインアレイ１４を方向６４に沿ってまたは反対に動かせるように構成されている。ボイスコイルドライブ７２ａおよび７２ｂは、図７の文脈で説明したように、単一ラインアレイ１４をライン伸長方向２４に沿って、またはその逆方向に動かせるように構成された単一ラインアレイ上に配置される。
【００７８】
アクチュエータ５７´がビーム偏向手段１８に接続され、回転運動５２´を生成するように構成されている。回転運動５２´は、図７の文脈で説明した回転運動５２を含むことができ、画像軸５８に沿った光学的画像安定化のために使用することができる。
代替的または追加的に、それに沿って光チャネルの光路が偏向されるマルチ開口撮像装置１４０の視線方向は、第１の視線方向９２ａおよび／または第２の視線方向９２ｂに沿って、１つ、２つまたは複数の方向に沿って安定して偏向されるように、アクチュエータ５７´は、回転運動５２´を生成するように構成することができる。第１の視線方向９２ａおよび／または第２の視線方向９２ｂは、ｙ方向に平行および／または逆平行に配置することができる。視野方向９２ａおよび／または９２ｂは、例えば、ライン伸長方向２４に対して実質的に垂直に、およびイメージセンサ１２とビーム偏向手段１８との間の光チャネルのコースに配置され得る。視野方向は、光路に対してビーム偏向手段の向きに任意の方法で空間内を進むことができる。
【００７９】
光チャネルの光路は、全視野または部分視野をキャプチャーするためにマルチ開口撮像装置１４０が配置されるハウジングの透明領域９４ａおよび９４ｂをそれぞれ含むことができる。回転運動５２は、回転運動５２´を得るために、１つ、２つまたはいくつかの方向に沿って安定したビーム偏向手段１８の位置に重ね合わせることができる。これは、光チャネルの視線方向を生成するためのビーム偏向手段１８のこのような不連続位置の位置を、光学的画像安定化のためのアナログの動きと重ね合わせることができるとも考えられる。マルチ開口撮像装置１４０は、２つの観察方向９２ａおよび９２ｂを含むように記載されているが、マルチ開口撮像装置１４０は、ビーム偏向手段１８の偏向角の影響を受ける第３の視線方向を少なくとも含むこともできる。これは、ビーム偏向手段１８が、少なくとも第１の視線方向９２ａと第２の視線方向９２ｂとで光チャネルの光路を偏向するように構成できることを意味する。アクチュエータ手段は、少なくとも１つのアクチュエータ、例えばビーム偏向手段を回転させるように構成されたアクチュエータ５７´を含むことができる。アクチュエータ５７´ａは、第１または第２の視線方向に垂直に、例えば平面２６ａと２６ｂとの間の領域に少なくとも部分的に配置されたビーム偏向手段の平面内に配置することができる。ビーム偏向手段１８は、例えばビーム偏向要素（ファセット）５４ａ〜５４ｄを含むことができる。
【００８０】
透明領域９４ａおよび／または９４ｂの領域には、切換可能なダイヤフラムを配置することができる。アパーチャは、例えば、機械的またはエレクトロクロミックアパーチャであり得る。各透過領域９４ａまたは９４ｂによって全視野がキャプチャーされない場合には、透過領域９４ａおよび／または９４ｂを少なくとも部分的に光学的に閉じるように、ダイヤフラムが制御され得る。
【００８１】
図１５は、ビーム偏向手段１８が平面状の反射面として形成されている点で、マルチ開口撮像装置１４０と比較して変更された、マルチ開口撮像装置１５０の概略上面図を示す。ビーム偏向手段１８は、例えば、それぞれ反射する方法で形成された第１の主面と第２の主面（例えば表側と裏側）とから構成されている。ビーム偏向手段１８の第１の主面が単一ラインアレイ１４にある角度で対向するように、ビーム偏向手段１８の傾きに基づいて、例えば第１の視線方向９２ａが得られる。
第２の主面がビーム偏向手段１８にある角度で対向するようにビーム偏向手段１８が回転運動５２´に基づいて動かされると、第２の視線方向９２ｂが得られる。ビーム偏向手段１８は、平面的または曲線的に構成することができる。ビーム偏向手段１８の曲率は、全視野の異なる部分視野に対して異なる方向に沿って光チャネルの光路の偏向を可能にすることができる。ビーム偏向手段１８が平面的に実施される場合、単一ラインアレイ１４の光学系に基づいて光チャネルの光路の偏向を得ることができる。
【００８２】
図１６は、マルチ開口撮像装置１６０の概略上面図を示す。アクチュエータ手段は、単一ラインアレイ１４に接続され、イメージセンサ１２と単一ラインアレイ１４との間の距離４６を変更するように構成されたボイスコイルドライブ６６ａおよび６６ｃを含む。マルチ開口撮像装置１６０およびアクチュエータ手段は、それぞれ、単一ラインアレイ１４に接続され、単一ラインアレイ１４をライン伸長方向２４に沿って動かせるように構成されたボイスコイルドライブ６６ｂおよび６６ｄを含む。さらに、アクチュエータ手段は、回転運動５２´を生成するように構成されたボイスコイルドライブ６６ｅおよび６６ｆを含む。
【００８３】
言い換えると、アクチュエータ手段は、ライン伸長方向２４に平行でイメージセンサに平行な平面内で単一ラインアレイ１４に対するイメージセンサ１２の相対位置を変更するように構成されたボイスコイルモータを含むことができ、例えばボイスコイルモータ６６ｂおよび６６ｄを含む。
【００８４】
図１７ａは、マルチ開口撮像装置１７０の概略上面図を示し、ビーム偏向手段１８は、多数の視線方向が掛け合わされた多数の光チャネルに対応することができる複数のビーム偏向要素５４ａ〜５４ｄおよび５４ａ´〜５４ｄ´を含む。単一ラインアレイ１４の前にある偏向素子５４ａ〜５４ｄの配置に基づいて、光チャネルの光路は、視線方向９２ａに沿って偏向可能である。アクチュエータ手段のボイスコイルアクチュエータ６６は、ビーム偏向手段１８を、単一ラインアレイ１４に対してライン伸長方向２４に沿ってまたは反対に動かせるように構成することができる。
【００８５】
図１７ｂは、マルチ開口撮像装置１７０の概略平面図を示し、マルチ開口撮像装置１７０が第２の視線方向９２ｂを含むように、ビーム偏向要素５４ａ´〜５４ｂ´が光チャネルの光路を偏向させるように、ビーム偏向手段１８は第２の位置を含む。ビーム偏向要素５４ａ´〜５４ｄ´は、例えば、偏向要素５４ａ〜５４ｄとは異なる傾斜または表面曲率を有することができる。
【００８６】
これは、ビーム偏向手段１８の回転運動および／または並進運動に基づいてマルチ開口撮像装置の視線方向を設定することができることを意味し、両方の移動が仮想直方体内で行われ、マルチ開口撮像装置１７０の設置高さを低く保つことができる。
【００８７】
さらに、マルチ開口撮像装置１７０およびそのアクチュエータ手段は、イメージセンサ１２と単一ラインアレイ１４との間の距離を変更し、ライン伸長方向２４に沿って単一ラインアレイ１４を動かせるために、ボイスコイルドライブ７２ａおよび７２ｂをそれぞれ含む。
【００８８】
図１８ａは、アクチュエータ手段がイメージセンサ１２と単一ラインアレイ１４との間の距離を変更するための圧電アクチュエータ７４ａおよび７４ｂを備えるという点で、マルチ開口撮像装置１７０に関して変更されたマルチ開口撮像装置１８０の概略平面図を示す。
【００８９】
図１９ａは、イメージセンサ１２および単一ラインアレイ１４の概略平面図を示し、単一ラインアレイ１４は、互いに垂直に配置された３つの空間軸に対して単一ラインアレイを動かせるように構成されたアクチュエータ手段のアクチュエータ５６´ａおよび５６´ｂに接続されている。第１の空間軸は、ライン伸長方向２４とすることができる。第２の空間軸は、方向６４とすることができる。第３の空間軸９８は、ライン伸長方向２４とともに方向６４ａに垂直な平面に及ぶことができる。アクチュエータ５６´ａおよび５６´ｂは、ライン伸長方向２４および／または方向９８に沿って単一ラインアレイ１４を移動させて、および／または、オートフォーカス機能ＡＦを得るために単一ラインアレイ１４を方向６４に沿って移動させて、光学画像安定化（ＯＩＳ）を得るように構成することができる。図１９ｂに示すように、アクチュエータ５６´ｂおよび／またはアクチュエータ５６´ａは、平面２６ａおよび２６ｂ内に完全に配置することができる。実施形態によれば、アクチュエータ５６´ａおよび／または５６´ｂは、また、これらの平面を越えてわずかに突出することができる。簡単に言えば、この配置は、方向９８が高さ方向と呼ばれるとき、アクチュエータ５６´ａおよび５６´ｂが単一ラインアレイ１４の横に配置されるように参照することもできる。
【００９０】
図２０ａは、図１９ａおよび１９ｂによるイメージセンサ１２および単一ラインアレイ１４の構成を含むマルチ開口撮像装置２００の概略平面図を示す。第１のオプションによれば、マルチ開口撮像装置２００は、視線方向９２ａと９２ｂとの間を切り替えるために、回転運動５２´に基づいて移動するように構成されたビーム偏向手段１８を含む。第２のオプションによれば、マルチ開口撮像装置２００は、例えば図１７ａおよび図１７ｂの文脈で説明したように、視線方向９２ａと９２ｂとの間を変化させるためにライン伸長方向２４に沿って移動するように構成されているビーム偏向手段１８を含む。代替的または追加的に、オプション１によるビーム偏向手段１８およびオプション２によるビーム偏向手段１８は、例えば、増加した数の視線方向を得るために配置することができる。例えば、第１のオプションによるビーム偏向手段１８は、第２のオプションに従って、ビーム偏向手段１８上の光チャネルの光路の一部を向けるために、少なくとも部分的に透明であり得る。
【００９１】
図２０ｂは、マルチ開口撮像装置２００の模式的な側断面図を示す。回転運動５２´に基づいて、方向９８に沿ったマルチ開口撮像装置２００の伸長は、図１９ａおよび図１９ｂによるアクチュエータ５６´ａおよび５６´ｂの配置に従ってより小さくすることができ、というのも、例えば、方向９８に沿ったイメージセンサ１２と単一ラインアレイ１４との間の相対的な動きを省略することができるからである。これは、この相対移動のための設置スペースの提供を省略できることを意味する。
ビーム偏向手段１８は、少なくとも第１の視線方向９２ａおよび第２の視線方向９２ｂにおいて光チャネルの光路を偏向させるように構成されている。アクチュエータ手段は、１つまたは複数のアクチュエータ５６´ａおよび／または５６´ｂを含む。少なくとも１つのアクチュエータ５６´ａおよび／または５６´ｂbは、ビーム偏向手段１８が配置される平面９９に配置される。平面９９は、第１の視線方向９２および／または第２の視線方向９２ｂに垂直に配置することができる。代替的または追加的に、本明細書に記載の他のアクチュエータを配置することができる。
【００９２】
図２１ａは、アクチュエータ５６´ａおよびアクチュエータ５６´ｂが、イメージセンサ１２と単一ラインアレイ１４との間の方向２４、６４および／または９８に沿った相対運動を生成するためにイメージセンサ１２に接続することができるように、図１９ａに係る構成に対して変更されているイメージセンサ１２および単一ラインアレイ１４の構成の概略平面図を示す。
【００９３】
図２１ｂは、図１９ｂに係る構成と同じかまたはこれに匹敵する図２１ａの構成の概略側断面図を示し、アクチュエータ５６´ｂはイメージセンサ１２に接続されている。
【００９４】
図２２ａは、アクチュエータ手段のアクチュエータ５６´ａおよび５６´ｂが、図２１ａの文脈で説明したように、イメージセンサ１２に接続されている点で異なるマルチ開口撮像装置２００の変形例であるマルチ開口撮像装置２２０の概略平面図を示す。ビーム偏向手段１８は、ライン伸長方向２４に本質的に平行な並進運動５９によって、第１の位置Ｐｏｓ１と第２の位置Ｐｏｓ２との間で切り換えることができる。
【００９５】
図２２ｂは、図２０ｂに係る側断面図に匹敵するマルチ開口撮像装置２２０の概略側断面図を示し、アクチュエータ５６´ａおよび／または５６´ｂは、イメージセンサ１２に接続することができる。
【００９６】
図２３ａは、イメージセンサ１２および単一ラインアレイ１４を含んでいる構成の概略平面図を示し、マルチ開口撮像装置のアクチュエータ手段の１つのアクチュエータ１０２が、イメージセンサ１２の、単一ラインアレイ１４の外方を向く側に配置され、イメージセンサ１２に接続されている。アクチュエータ１０２は、光チャネルの焦点を変えるためにイメージセンサ１２を方向６４沿って動かせるように構成される。さらに、アクチュエータ１０２は、例えば、光学的画像安定化を得るために、方向９８および／または２４に沿った動きを可能にすることができる。
【００９７】
アクチュエータ１０２は、例えば、空気圧、油圧、圧電アクチュエータ、ＤＣモータ、ステップモータ、熱アクチュエータ、静電アクチュエータ、電歪アクチュエータおよび／または磁歪アクチュエータまたは駆動装置、交流モータおよび／またはボイスコイル駆動装置として、使用することができる。アクチュエータ１０２は、例えば、圧電的または熱的に作動される曲げアクチュエータとすることができる。簡単に言えば、アクチュエータ１０２は、イメージセンサ１２を動かせるために、イメージセンサ１２の後ろにある。
【００９８】
図２３ｂは、図２３ａの構成の概略側面断面図を示す。構成の設置高さは、アクチュエータ１０２の配置によっては、それほど高くないか、またはわずかに増加するだけである。
【００９９】
図２４ａは、イメージセンサ１２および単一ラインアレイ１４の概略平面図を示し、アクチュエータ１０２が機械的接続部７８ａおよび７８ｂによって単一ラインアレイ１４に接続されており、イメージセンサ１２に対して単一ラインアレイ１４を相対的に動かせるように構成されている点で、図２３ａの図に関して構成が変更されている。さらに、アクチュエータ１０２は、イメージセンサ１２に対して軸２４、９８および／または６４に沿って、単一ラインアレイ１４を動かせるように構成することができる。
【０１００】
図２４ｂは、図２４ａの構成の概略側断面図を示す。
【０１０１】
上述の実施形態のうちのいくつかは、イメージセンサ１２および単一ラインアレイ１４の配置または構成に関するものであるが、ビーム偏向手段に隣接して容易に配置することができ、これらの構成をマルチ開口撮像装置に容易に移すことができる。実施形態によれば、イメージセンサおよび単一ラインアレイの記載された構成は、マルチ開口撮像装置の構成要素を記述する。
【０１０２】
図２５は、イメージセンサ１２、単一ラインアレイ１４および回転軸３２の周りに旋回されたビーム偏向手段１８を含むマルチ開口撮像装置２５０の概略側断面図を示す。
【０１０３】
ビーム偏向手段１８は、第１の視線方向９２ａおよび／または第２の視線方向９２ｂにおいて光チャネルの光路２２を偏向させるために、２つの位置Ｐｏｓ１とＰｏｓ２との間で切り替え可能である。この位置は、例えば、ビーム偏向手段１８が双安定的に切り替え可能なような安定した位置であってもよい。光学的画像安定化のための回転運動によって、場合によっては安定した位置を重ね合わせることができる。視野方向９２ａおよび９２ｂは、垂直、逆平行、または互いに異なる角度を有するように配置することができ、例えば、それぞれの位置におけるビーム偏向手段１８の向きによって影響を受けることができる。ビーム偏向手段１８の中間位置または中心位置１０５は、例えば、単一ラインアレイ１４またはイメージセンサ１２またはその主面に対して、主面１０４ａおよび／または１０４ｂの水平または垂直の向きを含む。中心位置１０５を介して第１の位置Ｐｏｓ１と第２の位置Ｐｏｓ２との間を切り替えることは、マルチ開口撮像装置２５０の設置高さを小さくし、少なくとも２つの視線方向での使用を可能にするという利点がある。例えばｘ方向に沿った厚さ方向に垂直な主面１０４ａおよび／または１０４ｂの広がりは、マルチ開口撮像装置２５０の設置高さを増加させることなく、任意のサイズ、すなわち、ほぼ独立した広がりとすることができる。
【０１０４】
図２６は、例えば本明細書に記載されたマルチ開口撮像装置を用いてキャプチャーすることができる全視界（対象領域）２６０の概略図を示す。マルチ開口撮像装置の光チャネルの光路は、異なる部分視野（対象領域の部分領域）１０６ａ〜１０６ｄに向けられ、１つの部分視野１０６ａ〜１０６ｄが各光チャネルに割り当てられることができる。部分視野１０６ａ〜１０６ｄは、個々の部分的画像を全体画像に結合させるために重なり合うことができる。マルチ開口撮像装置が４つの異なる数の光チャネルの内の１つを有する場合、全視野２６０は、４つの異なる数の部分視野の内の１つを有することができる。
代替的または追加的に、少なくとも１つの部分視野１０６ａ〜１０６ｄは、生成された画像のいわゆる超解像度を得るために、第２またはそれ以上の数の光チャネルによって取り込まれ得る。多数の光チャネルおよび／またはいくつかの部分視野は、例えば、任意の数であってよく、少なくとも２つ、少なくとも３つ、少なくとも４つ、少なくとも１０個、少なくとも２０個、またはさらに高い数の数を有することができる。
【０１０５】
図２７は、全視野２６０（対象領域）をそれぞれキャプチャーするように構成された第１のマルチ開口撮像装置１０ａおよび第２のマルチ開口撮像装置１０ｂを含む撮像システム２７０の概略斜視図を示す。これは、対象領域が立体視的に捕らえられることを意味する。
【０１０６】
さらなる実施形態によれば、マルチ開口撮像装置の少なくとも１つは、マルチ開口撮像装１０、４０、１４０，１５０，１６０，１７０，１８０，２００、２２０または２５０0として形成することができる。さらなる実施形態によれば、画像化システム２７０は、対象領域２６０または異なる対象領域を画像化するために、本明細書に記載の実施形態によるさらなるマルチ開口撮像装置を含むことができる。
【０１０７】
本明細書に記載の実施形態の文脈で述べたように、マルチ開口撮像装置１０ａまたは１０ｂは、空間における全視野２６０の位置を変更するために、それぞれのマルチ開口撮像装置、したがって撮像システム２７０の視線方向を変更するように構成することができる。
【０１０８】
画像システム２７０は、携帯システム、特に移動通信手段として形成することができる。ポータブルシステム２７０は、例えば、スマートフォンなどの携帯電話、タブレットなどのモバイルコンピュータ、および／または携帯音楽プレーヤであってもよい。
【０１０９】
撮像システム２７０は、ハウジング２７２を含む。ハウジング２７２は、平坦に形成することができる。これは、ハウジング２７２が３つの空間軸ｘ、ｙ、ｚに沿って伸長することができることを意味する。ハウジング２７２の主側面２７４は、例えば、ｘ／ｚ平面内に、またはそれに平行に配置することができる。第２の側面２７６ａおよび２７６ｂは、例えば、主面２７４を互いに接続することができる。平坦なハウジングは、第３の次元について、例えばｙ方向に沿って、少なくとも３倍、少なくとも５倍、少なくとも７倍、またはそれ以上の次元を有し、主面２７４（例えば、ｘ方向に沿ってかつｚ方向に沿った）の第１および第２の広がりを含むように、考えることができる。例えば、ハウジングの厚さの３倍および／またはハウジングの厚さの４倍を含む高さを含む幅を有することができる。
【０１１０】
図２８は、例えば撮像システム２７０に配置することができる第１のマルチ開口撮像装置１０ａおよび第２のマルチ開口撮像装置１０ｂを含む概略構造を示す。単一ラインアレイ１４ａおよび１４ｂは共通線を形成する。イメージセンサ１２ａおよび１２ｂは、共通基板または共通基板または共通フレックス基板などの共通回路キャリア上に搭載することができる。あるいは、イメージセンサ１２ａおよび１２ｂは、異なる基板を含むこともできる。共通のイメージセンサ、共通のアレイおよび／または共通のビーム偏向手段１８、並びに別個の構成要素を含む更なるマルチ開口撮像装置を含むマルチ開口撮像装置のように、これらの代替の異なる混合も可能である。共通のイメージセンサ、共通の単一ラインアレイおよび／または一般的なビーム偏向手段の利点は、少量のアクチュエータを制御することによって、それぞれの部品の動きを高い精度で得ることができ、アクチュエータ間の同期を低減または回避することができる。さらに、高い熱安定性を得ることができる。代替的または追加的に、異なるおよび／または異なるマルチ開口イメージング装置１０，４０，１４０，１５０，１６０，１７０，１８０，２００，２２０および／または２５０は、共通アレイ、共通イメージセンサおよび／またはビーム偏向手段を備えることもできる。
【０１１１】
マルチアパーチャ撮像装置を製造する方法は、各光チャネルが、イメージセンサのイメージセンサ領域上のオブジェクト領域の部分領域を投影するための光学系を含み、光チャネルの光路を偏向させるためのビーム偏向構造を配置するステップと、イメージセンサ、単一ラインアレイおよびビーム偏向手段間の相対運動を生成するアクチュエータ手段を配置するステップとを、含むように、並置された光学チャネルの単一ラインアレイを配置するイメージセンサを設けるステップを含むことができる。アクチュエータ手段は、直方体の側面にまたがる２つの平面の間に少なくとも部分的に配置されるように構成することができ、直方体の辺は、互いに平行であるとともに、単一ラインアレイのライン伸長方向と、イメージセンサとビーム偏向手段との間の光チャネルの光路の一部に向けられており、直方体の体積は最小であり、依然としてイメージセンサ、単一ラインアレイ及びビーム偏向手段を含む。
【０１１２】
言い換えれば、マルチ開口撮像システムまたは線形チャネル構造を有する装置の設置高さは、レンズ（光学系）の直径によって底部に限定することができる。線形チャネル構造を有するマルチ開口画像システムは、設置高さを可能な限り低くすることができる。カメラ構造体の設置高さをこれ以上増加させないために、イメージセンサ、画像光学系、および場合によっては既存のビーム偏向ミラーとの間の相対的な動きを実現する手段を横に配置することができ、撮像モジュール（イメージセンサおよび単一ラインアレイ）の前および／または後に、撮像モジュールの上および／または下にはない。
【０１１３】
相対的な動きは、２つまたは複数の方向に沿って同様にまたは安定して並進および／または回転方式で実行することができ、焦点合わせおよび光学的画像安定化機能を実現するために使用することができる。ミラーの移動（ビーム偏向手段）は、空気圧、油圧、圧電アクチュエータ、ＤＣモータ、ステップモータ、熱アクチュエータ、静電アクチュエータ、電歪アクチュエータおよび／または磁歪アクチュエータまたは駆動装置に基づいて行うことができる。
【０１１４】
オートフォーカスおよび／または光学画像安定化を使用するための本明細書に記載されたアクチュエータ手段のアクチュエータは、互いに独立して（個別に）同期的にまたは互いに同一に制御することができる。このことは、特に、マルチ開口画像システムのような、ハウジング内のマルチ開口撮像装置の多重配置にも当てはまる。
【０１１５】
本質的に光学系の直径によって決定される設置高さを増加させることなく相対的な動きを実現するために、マルチア開口カメラ構造の単一の構成要素間の相対的な動きを実現するための上述の駆動、案内および保持要素を配置することによって、フラットハウジングをフラットハウジングに配置することができ、フラットハウジングをさらに小型化することができる。
【０１１６】
本明細書で説明される実施形態は、線形チャネル構成および最小の設置サイズを有するマルチ開口撮像システムを記載する。
【０１１７】
本明細書に記載の実施形態のいくつかは、撮像チャネルの線形配列を有するマルチ開口画像システムにおける集束および光学的画像安定化機能を実現するためのボイスコイル原理に基づく動きを生成するための構成要素の配置に関する。
【０１１８】
ボイスコイルモータは頻繁に、または最も頻繁に使用されるドライブであり、その構造で単一の開口原理に適合し、それらのために最適化することができる。
【０１１９】
フォーカス機能を実現するために、画像モジュールは、ボイスコイル駆動を使用することによって光チャネルの光軸に沿って移動可能であり、イメージセンサは静止していてもよく、またはその逆であってもよい。例えば、有利なことに、光学的画像安定化機能を実現するために、画像モジュールは、ボイスコイルドライブを使用することによって静止画像センサに対して２次元で光チャネルの光軸に対して垂直に、またはその逆に移動可能である。おそらく望ましい、または必要とされる復元力は、機械的、空気圧および／または油圧ばねによって生成することができる。
【０１２０】
ビーム偏向ミラーを用いる場合には、また、光学的画像安定化の機能を得ることができる。これは、撮像チャネルの光軸に対してミラーの向きを変えることによって、視線方向の１次元変化によって行うことができる。旋回したミラーは、異なる向きにすることができ、ミラーの回転軸は、撮像チャネルの光学軸に対して垂直にまたは略垂直にすることができる。上記の視線方向に対して垂直な視線方向を適合させるために、画像センサおよび／またはアレイ対物レンズは、互いに横方向に動かせることができる。両方の動きを組み合わせると、２次元の光学的画像安定化が得られる。焦点合わせおよび／または光学的画像安定化を適合させるための上述の解決策を組み合わせることができる。マルチ開口カメラ構造の単一部品間でボイスコイル駆動を使用することによって相対運動を実現するための望ましい、または必要とされる駆動、案内および／または保持要素は、本質的にレンズの直径によって決定される設置高さを増加させることなくマルチ開口カメラ構造を得ることができるという利点である。
【０１２１】
さらなる実施形態によれば、撮像チャネルの線形配置を有するマルチ開口撮像システムにおいて、フォーカシングおよび光学的画像安定化機能を実現するための圧電式曲げ変換器および／または熱式曲げ器の構成に基づく動きを生成するための構成要素の配置が説明される。
【０１２２】
圧電素子および熱曲げ素子は、スイッチング時間が短く、費用効果の高い生産の利点を有する。十分に大きなアクチュエータ移動を提供するために、従来の単一の開口カメラにおけるそれらの使用が設置スペースの大幅な拡大をもたらし、したがって使用されないように、要素を細長い方法で形成することができる。一方、線形チャネル構成のマルチ開口撮像システムは、従来の単一の開口対物レンズと比較して、設置スペースの異なるアスペクト比を有することができる。ここで、線形チャネル構成を有するマルチ開口画像システムの設置高さは、レンズの直径によって底に向かって制限することができる。線形チャネル構成を有するマルチ開口画像システムは、設置高さを可能な限り低くすることができる。フォーカシング機能を実現するために、有利には、撮像モジュールは、１つまたは複数の圧電式または熱式曲げ変換器を使用することによって、チャネルの光軸に沿って動かせることができ、画像センサは静止していてもよく、またはその逆であってもよい。また、これは、撮像モジュールが静止しているイメージセンサを動かせることができることを意味する。両方のコンセプトを組み合わせることができる。ここで、システムは、１つまたは２つの曲げ変換器を使用することによって区別することができる。設置スペースおよび／または構造の修正されたアスペクト比は、構造の顕著な拡大を得ることなく、圧電式および／または熱式曲げ変換器の使用を可能にすることができる。また、設置高さを大きくすることができないという利点もある。
【０１２３】
光学的画像安定化機能を実現するために、有利には、撮像モジュールは、圧電式および／または熱式曲げ変換器を使用することによって固定されたイメージセンサに対して２次元で光チャネルに対して垂直に動かせることができる。機械的、空気圧および／または油圧ばねによって、おそらく望ましいまたは必要な回復力を発生させることができる。代替的にまたは追加的に、イメージセンサを動かせることができ、撮像モジュールを静止させることができる。ビーム偏向ミラーを使用する場合、光学的画像安定化機能を得ることができる。これは、旋回したミラーを異なる向きにすることによって、撮像チャネルの光軸に対してミラーの向きを変えることによって得られる視線方向の１次元変化によって得られ、ミラーの回転軸は、撮像チャネルの光学軸に対して垂直にまたは略垂直にすることができる。上記方向に垂直な視線方向を適合させるために、イメージセンサおよび／またはアレイ対物レンズは、互いに横方向に移動することができる。両方の動きを組み合わせると、２次元の光学的画像安定化が得られる。焦点合わせおよび／または光学的画像安定化の適応のための説明された解決策は、互いに組み合わせることができる。
【０１２４】
これにより、幾何学的境界条件のために従来の構造では不可能であるか、または望ましくない高速および／または費用対効果の高いドライブの使用が可能になる。
【０１２５】
光路または光軸は、ビーム偏向方向から異なる方向に向けられることが既に上述されている。これは、光路が、平行偏向から外れるように、ビーム偏向手段および／または光学系によって偏向されている間に導かれるという点で得られる。光路または光軸は、ビーム偏向の有無にかかわらず平行度から逸脱する可能性がある。以下では、このような状況について、チャネルに何らかの事前発散を設けることができるように説明する。この光軸の予め発散することによって、例えば、ビーム偏向手段のファセットの全てのファセット傾斜が互いに異なるわけではなく、たとえば、いくつかのチャネル群は、同じ傾きを持つファセットを持っているか、同じファセットに向けられています。後者は、一体的にまたは連続的に収束するように形成することができ、これは実質的に、ライン伸長方向に隣接するこのチャネル群に割り当てられる１つのファセットとしてのものである。これらのチャネルの光学軸の発散は、光チャネルの光学中心とチャネルのイメージセンサ領域の光学中心間の横方向のオフセットによって得られるように、これらの光学軸の発散に起因する。事前発散は、例えば、１つの平面に限定することができる。ビーム偏向の前または直前に、例えば、光軸は共通の平面内を実行することができるが、光軸は同じ平面内で発散することができ、ファセットは他の横断面に単に追加の発散をもたらすだけであり、すなわち、全てが光軸の共通平面とは異なるだけでライン伸長方向に平行にかつ互いに対して傾斜しており、この場合もやはり、いくつかのファセットは、同じ偏向を有することができ、またはビーム偏向前または偏向なしに、光軸が対をなす光軸の上記の共通平面内に既に異なるチャネルのグループに一緒に割り振ることができる。簡単に言えば、光学系は、第１（画像）方向に沿った光学経路の（プリ）発散を可能にし、ビーム偏向手段は第２（画像）方向に沿った光学経路の発散を意味する。
【０１２６】
イメージセンサ領域の中心は、例えば、イメージセンサ平面内の上記直線上の点から、ライン伸長方向に沿って、および／または、ライン伸長方向およびイメージセンサ法線の両方に垂直な方向に沿って、チャネルごとに逸脱する点など、イメージセンサ平面内の直線上の点上のイメージセンサ領域の平面の法線に沿った光学中心の投影から逸脱して配置されるが、上述した、おそらく存在する事前発散は、例えば物体の光学的中心がライン伸長方向に沿って直線上にあるという点で得られる。
あるいは、光学系の中心は、例えば、光学中心面内の上記直線上の点からライン伸長方向に沿って、および／または、ライン伸長方向および光学中心面の法線の両方に垂直な方向に沿って、チャネルごとにずれた点など、光学系の光学中心の平面の法線に沿ってイメージセンサの光学中心の投影から光学中心面内の直線上の点上にずれて配置されるが、イメージセンサの中心がライン伸長方向に沿って直線上にあるという点で、事前発散を得ることができる。
上述した各投影からのチャネル個別偏差が単にライン伸長方向に延びる場合、すなわち光軸が単に共通の平面内に存在し、事前発散を備えている場合が好ましい。光学中心とイメージセンサ領域中心の両方は、それぞれ、ライン伸長方向に平行であるが、異なる中間距離を有する直線上にある。したがって、レンズとイメージセンサとの間のライン伸長方向に対して垂直な横方向の横方向オフセットは、設置高さの増加をもたらす。
ライン伸長方向の面内オフセットが純粋に取り付け高さを変えることはないが、ファセットの結果が少なくなる可能性があり、および／またはファセットが角度の向きに傾くだけで構造を単純化する。したがって、例えば、それぞれ隣接する光チャネルは、共通平面内を実行する光軸を有することができ、各々は互いに対して斜めになっている、すなわち事前発散を備えている。ファセットは、一群の光チャネルに対して配置することができ、単に一方向に傾けられ、ライン伸長方向に平行にすることができる。
【０１２７】
さらに、いくつかの光チャネルが、例えば、超解像またはそれぞれの部分視野がこれらのチャネルによってサンプリングされる分解能を高める目的で、同じ部分視野に割り当てられるようにすることができる。そのようなグループ内の光チャネルは、例えば、ビームの偏向が平行になる前に平行であり、部分視野でファセットによって偏向される。有利には、グループのチャネルのイメージセンサのピクセルイメージは、このグループの異なるチャネルのイメージセンサのピクセルのイメージの中間の位置にある。
【０１２８】
別のオプションは、例えば、超解像度目的でなくても、単に立体視目的のためであってもよく、直近に隣接するチャネルのグループが、それらの部分的な視野によってライン伸長方向の全視野を完全にカバーし、すぐ隣接するチャネルのさらなるグループが、それらの部分の全視野を完全にカバーする実装である。
【０１２９】
したがって、上記の実施形態は、単一の開口チャネル構成を有するマルチ開口撮像装置および／またはこのようなマルチ開口撮像装置を含む撮像システムの形態で実施することができ、各チャネルは全視野の部分視野を送信し、部分視野は部分的に重複する。立体画像撮影のために、ステレオ、トリオ、クワトロなどの構造のための複数のそのようなマルチ開口撮像装置を有する構造が可能である。複数のモジュールは、連続した線として実装することができる。連続線は、同一のアクチュエータおよび共通のビーム偏向要素を使用することができる。場合によっては、光路内に存在する１つまたは複数の増幅基板が、ステレオ、トリオ、クアトロ構造を形成することができるライン全体に及ぶことができる。いくつかのチャネルが同じ部分画像領域を撮像する、超解像度の方法を使用することができる。ビーム偏向装置を必要とするファセットがより少なくなるように、光偏向装置を使用することなく光軸を発散させることもできる。次に、ファセットは有利には１つの角度成分のみを有する。イメージセンサは、一体的に形成することができ、１つの連続した画素マトリクスまたは複数の中断した画素マトリクスを有することができる。イメージセンサは、例えばプリント回路基板上に互いに並んで配置された幾つかの部分センサの組み合わせであってもよい。オートフォーカス駆動は、ビーム偏向要素が光学系と同期して動かされるかまたは静止するように構成することができる。
【０１３０】
いくつかの態様が装置の文脈で説明されているが、これらの態様は、それぞれの方法の説明も表しているので、装置のブロックまたは部材は、それぞれの方法ステップまたは方法ステップの特徴と考えることもできることは明らかである。同様に、方法ステップの文脈で、または方法ステップとして記載されている態様は、それぞれのブロックまたはそれぞれの装置の詳細または特徴の記述を表す。
【０１３１】
上述の実施形態は、本発明の原理の単なる例示である。本明細書に記載された構成および詳細の変更および変形は、当業者には明らかであることは明らかである。したがって、本発明は、添付の特許請求の範囲によってのみ限定され、実施形態の説明および議論に基づいて本明細書に提示される特定の詳細によっては限定されないことが意図される。
【図１】
2020129112.tif 000003
【図２】
2020129112.tif 000004
【図３】
2020129112.tif 000005
【図４】
2020129112.tif 000006
【図５】
2020129112.tif 000007
【図６ａ】
2020129112.tif 000008
【図６ｂ】
2020129112.tif 000009
【図６ｃ】
2020129112.tif 000010
【図６ｄ】
2020129112.tif 000011
【図６ｅ】
2020129112.tif 000012
【図６ｆ】
2020129112.tif 000013
【図６ｇ】
2020129112.tif 000014
【図６ｈ】
2020129112.tif 000015
【図７】
2020129112.tif 000016
【図８ａ】
2020129112.tif 000017
【図８ｂ】
2020129112.tif 000018
【図９ａ】
2020129112.tif 000019
【図９ｂ】
2020129112.tif 000020
【図１０ａ】
2020129112.tif 000021
【図１０ｂ】
2020129112.tif 000022
【図１１ａ】
2020129112.tif 000023
【図１１ｂ】
2020129112.tif 000024
【図１２ａ】
2020129112.tif 000025
【図１２ｂ】
2020129112.tif 000026
【図１３ａ】
2020129112.tif 000027
【図１３ｂ】
2020129112.tif 000028
【図１４】
2020129112.tif 000029
【図１５】
2020129112.tif 000030
【図１６】
2020129112.tif 000031
【図１７ａ】
2020129112.tif 000032
【図１７ｂ】
2020129112.tif 000033
【図１８ａ】
2020129112.tif 000034
【図１８ｂ】
2020129112.tif 000035
【図１９ａ】
2020129112.tif 000036
【図１９ｂ】
2020129112.tif 000037
【図２０ａ】
2020129112.tif 000038
【図２０ｂ】
2020129112.tif 000039
【図２１ａ】
2020129112.tif 000040
【図２１ｂ】
2020129112.tif 000041
【図２２ａ】
2020129112.tif 000042
【図２２ｂ】
2020129112.tif 000043
【図２３ａ】
2020129112.tif 000044
【図２３ｂ】
2020129112.tif 000045
【図２４ａ】
2020129112.tif 000046
【図２４ｂ】
2020129112.tif 000047
【図２５】
2020129112.tif 000048
【図２６】
2020129112.tif 000049
【図２７】
2020129112.tif 000050
【図２８】
2020129112.tif 000051
【手続補正書】
【提出日】令和2年5月6日(2020.5.6)
【手続補正１】
【補正対象書類名】特許請求の範囲
【補正対象項目名】全文
【補正方法】変更
【補正の内容】
【特許請求の範囲】
【請求項１】
マルチ開口撮像装置（１０；４０；１４０；１５０；１６０；１７０；１８０；２００；２２０；２５０）であって、
前記マルチ開口撮像装置は、
イメージセンサ（１２）、
並置された光チャネル（１６ａ〜１６ｂ）の単一ラインアレイ（１４）であって、前記各光チャネル（１６ａ〜１６ｂ）は、前記イメージセンサ（１２）のイメージセンサ領域（１３ａ〜１３ｄ）に対象領域（２６０）の部分領域（１０６ａ〜１０６ｄ）を投影するための光学系（１７ａ〜１７ｄ）を含み、前記単一ラインアレイ（１４）は、前記光チャネル（１６ａ〜１６ｂ）が通過する担体（１５）を含む、並置された光チャネル（１６ａ〜１６ｂ）の単一ラインアレイ（１４）、
前記光チャネル（１６ａ〜１６ｂ）の光路（２２ａ〜２２ｄ）を偏向させるビーム偏向手段（１８）、および
前記イメージセンサ（１２）と前記単一ラインアレイ（１４）と前記ビーム偏向手段（１８）との間の相対的な動きを発生させるためのアクチュエータ手段（２８）を含み、
前記アクチュエータ手段（２８）は少なくとも部分的に２つの平面（２６ａ，２６ｂ）の間に配置され、前記２つの平面（２６ａ，２６ｂ）は直方体（３４）の側面に沿って延伸し、前記直方体（３４）の側面は互いに平行であると共に、前記単一ラインアレイ（１４）のライン伸長方向（２４）に平行、且つ前記イメージセンサ（１２）および前記ビーム偏向手段（１８）間の前記光チャネル（１６ａ〜１６ｂ）の光路（２２ａ〜２２ｄ）の一部に平行に向けられ、前記直方体の体積は最小であり、それでも前記イメージセンサ（１２）、前記単一ラインアレイ（１４）および前記ビーム偏向手段（１８）を含み、
前記アクチュエータ手段（２８）は厚さ方向（３６）に平行な広がり（３８）を含み、前記厚さ方向（３６）は前記２つの平面（２６ａ，２６ｂ）に垂直に向けられ、前記広がり（３８）の最大５０％の部分（４２）は、前記２つの平面（２６ａ，２６ｂ）の間の領域（４４）から開始して、前記２つの平面（２６ａ，２６ｂ）を越えて突出する、マルチ開口撮像装置。
【請求項２】
前記光学チャネル（１６ａ〜１６ｄ）の前記光学系（１７ａ〜１７ｄ）は、前記担体（１５）の透明領域内または前記透明領域に隣接しておよび／または前記透明領域の端部領域に配置される、および／または、前記担体（１５）は透明に形成され、そして、前記光学系（１７ａ〜１７ｄ）は、前記担体（１５）の表面に配置されて、全視野におけるそれぞれの部分視野の前記イメージセンサ（１２）のそれぞれの前記イメージセンサ領域（１３ａ〜１３ｂ）への投影に影響を与える、請求項１に記載のマルチ開口撮像装置。
【請求項３】
前記アクチュエータ手段は、前記イメージセンサまたは前記アレイ（１４）に接続された圧電アクチュエータ（７４）を含む、請求項１または請求項２に記載のマルチ開口撮像装置。
【請求項４】
前記圧電アクチュエータは、機械的偏向手段（７８；８４）を介して前記イメージセンサまたは前記アレイ（１４）に接続され、前記機械的偏向手段（７８；８４）は前記２つの平面（２６ａ〜２６ｂ）の間に配置されている、請求項３に記載のマルチ開口撮像装置。
【請求項５】
前記圧電アクチュエータの動きは前記機械的偏向手段のベアリングによって偏向されて、前記単一ラインアレイが前記アレイ（１４）のライン伸長方向（２４）に沿って並進する、請求項４に記載のマルチ開口撮像装置。
【請求項６】
前記圧電アクチュエータは曲げ変換器である、請求項３〜請求項５の１項に記載のマルチ開口撮像装置。
【請求項７】
前記アクチュエータ手段は、前記イメージセンサまたは前記アレイ（１４）に接続されたボイスコイルドライブ（５６，６６）を含む、請求項１または請求項２に記載のマルチ開口撮像装置。
【請求項８】
並進運動に基づく前記イメージセンサ（１２）と前記アレイ（１４）との前記相対的な動きによって、前記マルチ開口撮像装置の焦点位置の変更が可能になる、請求項１〜請求項７の１項に記載のマルチ開口撮像装置。
【請求項９】
並進運動に基づく、前記イメージセンサ（１２）と前記アレイ（１４）との前記アレイ（１４）のライン伸長方向に平行または逆平行の前記相対的な動きによって、光学的画像安定化が可能になる、請求項１〜請求項８の１項に記載のマルチ開口撮像装置。
【請求項１０】
前記ビーム偏向手段（１８）の横方向のシフト、および／または、回転軸（３６）の周りでの前記ビーム偏向手段（１８）の回転に基づく前記相対的な動きによって、前記マルチ開口撮像装置の視線方向の切り替えが可能になる、請求項１〜請求項９の１項に記載のマルチ開口撮像装置。
【請求項１１】
前記アクチュエータ手段のアクチュエータは、完全に前記２つの平面（２６ａ，２６ｂ）の間に配置される、請求項１〜請求項１０の１項に記載のマルチ開口撮像装置。
【請求項１２】
前記ビーム偏向手段（１８）は、前記マルチ開口撮像装置（１７０）が第１の視線方向（９２ａ）を含むように、前記ビーム偏向手段（１８）の第１の位置で前記光チャネルを偏向するように構成され、前記ビーム偏向手段の第２の位置での前記マルチ開口撮像装置において、前記光チャネルの前記光路は、前記マルチ開口撮像装置（１７０）が第２の視線方向（９２ｂ）を含むように偏向される、請求項１〜請求項１１の１項に記載のマルチ開口撮像装置。
【請求項１３】
前記相対的な動きを発生させるための前記アクチュエータ手段（２８）は、前記イメージセンサ（１２）の、前記単一ラインアレイ（１４）の外方を向く側に配置される、請求項１〜請求項１２の１項に記載のマルチ開口撮像装置。
【請求項１４】
前記アクチュエータ手段（２８）は前記２つの平面（２６ａ，２６ｂ）の間の領域（４４）から、前記ライン伸長方向（２４）に垂直な厚さ方向（３６）に沿って、前記アクチュエータ手段（２８）の前記厚さ方向（３６）に沿った大きさの最大５０％、前記２つの平面（２６ａ，２６ｂ）の第１または第２の平面（２６ａ，２６ｂ）を越えて突出している、請求項１３に記載のマルチ開口撮像装置。
【請求項１５】
前記ビーム偏向手段（１８）は、少なくとも第１の視線方向（９２ａ）および第２の視線方向（９２ｂ）で前記光チャネル（１６ａ〜１６ｂ）の前記光路を偏向させるように構成され、前記アクチュエータ手段（２８）は少なくとも１つのアクチュエータ（５６；５６´ａ〜５６´ｂ；５７ａ〜５７ｂ；６６ａ〜６６ｆ；７２ａ〜７２ｂ；７４ａ〜７４ｂ；１０２）を備え、前記少なくとも１つのアクチュエータ（５６；５６´ａ〜５６´ｂ；５７ａ〜５７ｂ；６６ａ〜６６ｆ；７２ａ〜７２ｂ；７４ａ〜７４ｂ；１０２）は、前記第１の視線方向（９２ａ）または第２の視線方向（９２ｂ）に対して垂直に配置された前記ビーム偏向手段（１８）の平面（９９）に配置される、請求項１〜請求項１４のいずれか１項に記載のマルチ開口撮像装置。
【請求項１６】
前記相対的な動きは、
前記単一ラインアレイ（１４）と前記ビーム偏向手段（１８）との間の前記光チャネル（１６ａ〜１６ｂ）を通り抜ける光路（２２ａ〜２２ｄ）に平行なビーム方向に沿った、前記イメージセンサ（１２）と前記単一ラインアレイ（１４）との間の距離（４６）の変更、または、
前記ビーム方向に沿った、前記単一ラインアレイ（１４）と前記ビーム偏向手段（１８）との間の距離（４８）の変更を含む、請求項１〜請求項１５のいずれか１項に記載のマルチ開口撮像装置。
【請求項１７】
前記相対的な動きは、
前記単一ラインアレイ（１４）をシフトさせ、前記ビーム偏向手段を前記ビーム方向に沿ってシフトさせて前記ビーム方向に沿った前記単一ラインアレイ（１４）と前記ビーム偏向手段（１８）との間の距離（４８）を維持することによる、前記単一ラインアレイ（１４）と前記ビーム偏向手段（１８）との間の前記光チャネル（１６ａ〜１６ｂ）を通り抜ける光路（２２ａ〜２２ｄ）に平行なビーム方向に沿った、前記イメージセンサ（１２）と前記単一ラインアレイ（１４）との間の距離（４６）の変更を含む、請求項１〜請求項１６の１項に記載のマルチ開口撮像装置。
【請求項１８】
前記相対的な動きは、光学的画像安定化のための、前記イメージセンサ（１２）、前記単一ラインアレイ（１４）または前記ビーム偏向手段（１８）の並進運動を含み、前記並進運動は、前記マルチ開口撮像装置によってキャプチャーされた画像の第１の画像軸（６２）または第２の画像軸（５８）に平行に実行される、請求項１〜請求項１７の１項に記載のマルチ開口撮像装置。
【請求項１９】
前記相対的な動きは、前記単一ラインアレイ（１４）の前記ライン伸長方向に平行な軸の周りでの前記ビーム偏向手段（１８）の回転運動（５２）、または、前記ライン伸長方向（２４）に平行な軸に沿っての前記ビーム偏向手段（１８）の並進運動を含み、前記並進運動は第１の位置（Ｐｏｓ１）と第２の位置（Ｐｏｓ２）との間で実行することができ、前記ビーム偏向手段（１８）は前記第１の位置（Ｐｏｓ１）と前記第２の位置（Ｐｏｓ２）との間で並進的に可動である、請求項１〜請求項１８のいずれか１項に記載のマルチ開口撮像装置。
【請求項２０】
前記イメージセンサ（１２）または前記ビーム偏向手段（１８）は、前記アクチュエータ手段（２８）の第１のアクチュエータ（５６；５６´ａ〜５６´ｂ；５７ａ〜５７ｂ；６６ａ〜６６ｆ;７２ａ〜７２ｂ;７４ａ〜７４ｂ;１０２）と前記単一ラインアレイ（１４）との間に配置され、前記第１のアクチュエータ（５６；５６´ａ〜５６´ｂ；５７ａ〜５７ｂ；６６ａ〜６６ｆ;７２ａ〜７２ｂ;７４ａ〜７４ｂ;１０２）は、前記イメージセンサ（１２）と前記単一ラインアレイ（１４）との間の距離（４６）を変化させるように構成される、請求項１〜請求項１９の１項に記載のマルチ開口撮像装置。
【請求項２１】
前記第１のアクチュエータ（５６；５６´ａ〜５６´ｂ；５７ａ〜５７ｂ；６６ａ〜６６ｆ;７２ａ〜７２ｂ;７４ａ〜７４ｂ;１０２）は、作動中に、前記光チャネル（１６ａ〜１６ｂ）を通り抜ける光路（２２ａ〜２２ｄ）に平行なビーム方向に沿って、前記アクチュエータ（７４ａ〜７４ｂ）の領域（７６）を移動するように構成される湾曲アクチュエータ（７４ａ〜７４ｂ）である、請求項２０に記載のマルチ開口撮像装置。
【請求項２２】
前記アクチュエータ手段（２８）は、湾曲アクチュエータ（７４ａ〜７４ｂ）として形成された第２のアクチュエータ（５６；５６´ａ〜５６´ｂ；５７ａ〜５７ｂ；６６ａ〜６６ｆ;７２ａ〜７２ｂ;７４ａ〜７４ｂ;１０２）を含み、
前記第２のアクチュエータは、前記イメージセンサ（１２）と前記単一ラインアレイ（１４）との間の距離（４６）を変更して、作動中に、前記アクチュエータ（７４ａ〜７４ｂ）の領域（７６）を、前記光チャネル（１６ａ〜１６ｂ）を通り抜ける光路（２２ａ〜２２ｄ）に平行なビーム方向に沿って移動させるように構成され、前記第１および第２のアクチュエータは、前記ライン伸長方向（２４）に沿って、前記単一ラインアレイ（１４）の異なる領域に接続される、請求項２１に記載のマルチ開口撮像装置。
【請求項２３】
前記アクチュエータ手段（２８）は、前記イメージセンサ（１２）と前記単一ラインアレイ（１４）との間の距離（４６）を変更するように構成される第１のボイスコイルモータ（６６ａ〜６６ｆ；７２ａ〜７２ｂ）を含む、請求項１〜請求項２２の１項に記載のマルチ開口撮像装置。
【請求項２４】
前記アクチュエータ手段（２８）は、前記イメージセンサ（１２）と前記単一ラインアレイ（１４）との間の距離（４６）を変更し、前記単一ラインアレイ（１４）と前記ビーム偏向手段（１８）との間の前記光チャネル（１６ａ〜ｂ）を通り抜ける光路（２２ａ〜ｄ）に平行な前記ビーム方向に沿っての前記単一アレイ（１４）と前記ビーム偏向手段（１８）との間の距離（４８）を維持するように構成される、請求項２３に記載のマルチ開口撮像装置。
【請求項２５】
前記アクチュエータ手段（２８）は、前記単一ラインアレイ（１４）のライン伸長方向（２４）に垂直で、且つ、前記イメージセンサ（１２）に平行な平面（２５）における、前記単一ラインアレイ（１４）に対するイメージセンサ（１２）の相対的位置を変更するように構成される第２のボイスコイルモータ（６６ａ〜６６ｆ；７２ａ〜７２ｂ）を含む、請求項１〜請求項２４の１項に記載のマルチ開口撮像装置。
【請求項２６】
平坦なハウジング（２７２）内に配置され、第１のハウジング方向（ｘ）および第２のハウジング方向（ｚ）に沿った前記ハウジング（２７２）の少なくとも第１の伸長および第２の伸長は、第３のハウジング方向（ｙ）に沿った前記ハウジングの第３の伸長と比較して少なくとも３倍の大きさを有する、請求項１〜請求項２５の１項に記載のマルチ開口撮像装置。
【請求項２７】
前記アクチュエータ手段（２８）は、前記単一ラインアレイ（１４）のライン伸長方向（２４）に沿って、前記単一ラインアレイ（１４）を移動させるように構成されるアクチュエータ（５６；５６´ａ〜５６´ｂ；５７ａ〜５７ｂ；６６ａ〜６６ｆ;７２ａ〜７２ｂ;７４ａ〜７４ｂ;１０２）を含む、請求項１〜請求項２６の１項に記載のマルチ開口撮像装置。
【請求項２８】
前記アクチュエータ手段（２８）は、前記単一ラインアレイ（１４）の前記ライン伸長方向（２４）に平行な軸（３２）の周りで前記ビーム偏向手段（１８）が回転運動（５２）するように、前記ビーム偏向手段（１８）を配置するように構成されるアクチュエータ（５６；５６´ａ〜５６´ｂ；５７ａ〜５７ｂ；６６ａ〜６６ｆ;７２ａ〜７２ｂ;７４ａ〜７４ｂ;１０２）を含む、請求項１〜請求項２７の１項に記載のマルチ開口撮像装置。
【請求項２９】
請求項１〜請求項２８の１項に記載の第１のマルチ開口撮像装置（１０；４０；１４０；１５０；１６０；１７０；１８０；２００；２２０；２５０）と、請求項１〜２８の１項に記載の第２のマルチ開口撮像装置（１０；４０；１４０；１５０；１６０；１７０；１８０；２００；２２０；２５０）を備える撮像システム（２７２）であって、
前記撮像システム（２７２）は、少なくとも立体視的に対象領域（２６０）をキャプチャーするように構成されことを特徴とする、撮像システム。
【請求項３０】
ポータブルシステム、特に移動通信手段である、請求項２９に記載の撮像システム。
【請求項３１】
イメージセンサ（１２）を提供するステップと、
並置された光チャネル（１６ａ〜ｂ）の単一ラインアレイを、前記光チャネル（１６ａ〜ｂ）が通過する担体（１５）を前記それぞれの単一ラインアレイが含むように、それぞれの光チャネルが対象領域の部分領域を前記イメージセンサのイメージセンサ領域に投影するための光学系を含むように、配置するステップと、
前記光チャネルの光路を偏向させるビーム偏向手段を配置するステップと、
前記イメージセンサと前記単一ラインアレイと前記ビーム偏向手段との間の相対的な動きを発生させるためのアクチュエータ手段を配置するステップ
を含む、マルチ開口撮像装置の製造方法であって、
前記アクチュエータ手段は少なくとも部分的に２つの平面の間に配置され、前記２つの平面は直方体の側面に沿って延伸し、前記直方体の側面は互いに平行であると共に、前記単一ラインアレイのライン伸長方向に平行、且つ前記イメージセンサおよび前記ビーム偏向手段間の前記光チャネルの光路の一部に平行に向けられ、前記直方体の体積は最小であり、それでも前記イメージセンサ、前記単一ラインアレイおよび前記ビーム偏向手段を含み、
前記アクチュエータ手段（２８）は、厚さ方向（３６）に平行な広がり（３８）を含み、前記厚さ方向（３６）は前記２つの平面（２６ａ，２６ｂ）に垂直に向けられ、前記広がり（３８）の最大５０％の部分（４２）は、前記２つの平面（２６ａ，２６ｂ）の間の領域（４４）から開始して、前記２つの平面（２６ａ，２６ｂ）を越えて突出する、マルチ開口撮像装置の製造方法。
【外国語明細書】
2020129112000001.pdf
2020129112000002.pdf
2020129112000003.pdf
2020129112000004.pdf